(57)【要約】      （修正有）【課題】コンテンツ出力装置に関し、グラフィックや写真、テキストが印刷された媒体の着脱が可能な装置を提供する。【解決手段】グラフィックや写真、テキストが印刷された冊子部２０と、冊子部に脱着可能であり、少なくとも冊子部を特定する冊子識別手段２５とコンテンツを記録する記憶手段と記憶手段に記録されたコンテンツを出力する出力手段とから構成されるコンテンツ出力装置（例えば音声再生装置３０）であって、コンテンツは冊子部と冊子部のページ毎に対応付けられて記憶され、コンテンツ出力装置には、媒体を装着した状態において、両者の間に少なくとも一部が互いに重なり合う重複部を設け、冊子部を装着することにより冊子識別手段で冊子部を特定し、記憶手段に記録された対応するコンテンツを出力手段で出力する。【選択図】図１
2015219842.tif 000002
【特許請求の範囲】
【請求項１】
グラフィックや写真、テキストが印刷された媒体と、
前記媒体に脱着可能であり、少なくとも該媒体を特定する媒体識別手段と、
コンテンツを記録する記憶手段と、
該記憶手段に記録されたコンテンツを出力する出力手段とから構成されるコンテンツ出力装置であって、
前記コンテンツは前記媒体毎に対応付けられて記憶され、
前記コンテンツ出力装置には、前記媒体を装着した状態において、両者の間に少なくとも一部が互いに重なり合う重複部を設け、前記媒体を装着することにより前記媒体識別手段で該媒体を特定し、前記記憶手段に記録された対応するコンテンツを前記出力手段で出力することを特徴とするコンテンツ出力装置。
【請求項２】
前記媒体は複数のページを綴った冊子状の媒体であり、
さらに該媒体のページを特定するページ識別手段を備え、
前記コンテンツは前記媒体と該媒体のページ毎に対応付けられて記憶され、
前記コンテンツ出力装置には、前記媒体を装着した状態において、前記ページ識別手段で該媒体の開かれているページを特定して、前記記憶手段に記録された対応するコンテンツを前記出力手段で出力することを特徴とする請求項１記載のコンテンツ出力装置。
【請求項３】
前記媒体には、１または複数のタッチ位置を明示したグラフィックおよび／またはテキストが印刷され、
前記コンテンツ出力装置には、さらに前記媒体のタッチ位置のどこにタッチしたかを判別するタッチ位置認識手段を備え、
前記コンテンツは前記媒体と該媒体のタッチ位置毎に対応付けられて記憶され、
前記コンテンツ出力装置には、前記媒体を装着した状態において、前記タッチ位置認識手段で該媒体のタッチ位置を特定して前記記憶手段に記録された対応するコンテンツを前記出力手段で出力することを特徴とする請求項１または２記載のコンテンツ出力装置。
【請求項４】
前記タッチ位置認識手段はカメラを備え、
タッチした指または所定の対象物と前記１または複数のタッチ位置を明示したグラフィックおよび／またはテキストと共に撮影し、画像認識によって前記媒体のタッチ位置のどこにタッチしたかを判別することを特徴とする請求項３記載のコンテンツ出力装置。
【請求項５】
前記タッチ位置認識手段は所定の電磁波または音波を発信する発信手段と該電磁波または音波を検知するセンサーを備え、
前記発信手段で発信された電磁波または音波は、タッチした指または所定の対象物で反射する第１の反射波と前記複数のタッチ位置を明示したグラフィックおよび／またはテキストが印刷された所定の領域で反射する第２の反射波を受信し、第１と第２の反射波が異なることにより前記媒体の１または複数のタッチ位置のどこにタッチしたかを判別することを特徴とする請求項３記載のコンテンツ出力装置。
【請求項６】
前記電磁波は赤外線であり、前記センサーは赤外線検知センサーであり、
前記１または複数のタッチ位置を明示したグラフィックおよび／またはテキストは赤外線を吸収するインクで印刷されており、前記タッチした指または所定の対象物では赤外線を反射することにより前記媒体の１または複数のタッチ位置のどこにタッチしたかを判別することを特徴とする請求項５記載のコンテンツ出力装置。
【請求項７】
前記タッチ位置認識手段は、前記媒体に組み込まれたことを特徴とする請求項３記載のコンテンツ出力装置。
【請求項８】
前記タッチ位置認識手段は、前記タッチ位置に検出するタッチ検出部が設けられたボードまたはシートであることを特徴とする請求項３記載のコンテンツ出力装置。
【請求項９】
前記媒体は複数のタッチ位置を明示したグラフィックおよび／またはテキストが印刷されたシートまたはカード状の媒体であり、
さらに、該媒体を載置して該媒体の前記１または複数のタッチ位置のどこにタッチしたかを判別するタッチ位置認識手段を備え、
前記コンテンツは前記媒体と該媒体のタッチ位置毎に対応付けられて記憶され、
前記コンテンツ出力装置には、前記媒体を装着した状態において、前記タッチ位置認識手段で該タッチ位置を特定して、前記記憶手段に記録された対応するコンテンツを前記出力手段で出力することを特徴とする請求項１記載のコンテンツ出力装置。
【請求項１０】
前記ページ識別手段は所定の電磁波または音波を検知する複数のセンサーを備え、
前記媒体を閉じた状態で該媒体の各ページの少なくとも一部の重複部は、該複数のセンサーの少なくとも１つを覆うように配置されて該所定の電磁波または音波を遮断し該センサーが所定量以下の該所定の電磁波または音波を検知しない状態であって、該媒体のページがめくられることによって、該重複部で覆われているセンサーが該所定の電磁波または音波を検知することにより、該媒体の開かれているページを特定することを特徴とする請求項２に記載のコンテンツ出力装置。
【請求項１１】
前記ページ識別手段は所定の電磁波または音波を検知する複数のセンサーを備え、
前記媒体を閉じた状態で該媒体の各ページの重複部は、該複数のセンサーを覆うように配置されて該所定の電磁波または音波の少なくとも一部を透過し該センサーが所定量の該所定の電磁波または音波を検知する状態であって、該媒体のページが捲られることによって、該重複部で覆われているセンサーが該所定の電磁波または音波の所定量を検知することにより、該媒体の開かれているページを特定することを特徴とする請求項２に記載のコンテンツ出力装置。
【請求項１２】
前記所定の電磁波は、前記センサーの周辺から入射される自然光または照明機器、前記コンテンツ出力装置に設けられた光源から照射される可視光であることを特徴とする請求項５記載のコンテンツ出力装置。
【請求項１３】
前記ページ識別手段はセンサーを備え、前記ページ毎に所定の位置に備えた無線送信装置から発信される信号を受信し、該センサーにより前記開かれているページに備えられた該無線送信装置から発信された信号のIDと該信号の特性と、を識別し、その位置を算定して該ページを特定することを特徴とする請求項２記載のコンテンツ出力装置。
【請求項１４】
前記ページ識別手段は少なくとも２つのセンサーを備え、前記ページ毎に所定の位置に備えた無線送信装置から発信される信号を受信し、該少なくとも２つのセンサーにより前記開かれているページに備えられた該無線送信装置から発信された信号のIDと位置とを識別し、その位置を算定して該ページを特定することを特徴とする請求項２記載のコンテンツ出力装置。
【請求項１５】
前記媒体識別手段は所定の電磁波または音波を検知するセンサーを備え、
前記媒体の少なくとも一部の重複部は、複数の前記センサーを覆うように配置され、
該媒体の重複部の第１の所定の領域では該所定の電磁波または音波が通過または透過し、前記センサーが該所定の電磁波を検知し、
該媒体の重複部の第２の所定の領域では該所定の電磁波または音波は遮断され、該センサーが所定量以下の該所定の電磁波または音波を検知しないことにより、
前記第１と第２の所定の領域に入射した電磁波または音波を検知した該センサーの組み合わせによって該媒体を特定することを特徴とする請求項１記載のコンテンツ出力装置。
【請求項１６】
前記第１の所定の領域は、前記所定の電磁波または音波が通過できるための穴部または切り欠き部、該所定の電磁波または音波が透過する透過媒体のいずれかが設けられていることを特徴とする請求項１５記載のコンテンツ出力装置。
【請求項１７】
前記媒体識別手段は、入力手段として備えられたマイクに向かって前記媒体を特定する言葉またはIDが発声されると、音声認識により該媒体を特定することを特徴とする請求項１記載のコンテンツ出力装置。
【請求項１８】
前記媒体識別手段はセンサーを備え、前記媒体に備えられた無線送信装置から発信されるID信号を受信し識別して該媒体を特定することを特徴とする請求項１記載のコンテンツ出力装置。
【請求項１９】
前記媒体識別手段は複数のセンサーを備え、前記媒体の所定の位置に備えた無線送信装置から発信される信号を受信し、少なくとも２個の該センサーにより該信号が発信される該無線送信装置の所定の位置を算定して該媒体を特定することを特徴とする請求項１記載のコンテンツ出力装置。
【請求項２０】
前記媒体識別手段は、前記重複部に信号波を発信する発信手段と信号波を受信するセンサーを所定の位置に配置し、該発信手段から発信された原信号波が前記媒体の重複部で反射または透過、減衰、屈折、遮断、及び吸収の内の少なくともいずれか１つにより原信号波が変化した信号波を、該センサーが受信して該媒体を特定することを特徴とする請求項１記載のコンテンツ出力装置。
【請求項２１】
前記センサーで受信した信号波は、周波数、振幅、位相、粗密度の変化またはノイズの影響の少なくともいずれか１つにより前記原信号波が変化した信号波であることを特徴とする請求項２０記載のコンテンツ出力装置。
【請求項２２】
前記発信手段は、信号波に代えて、電磁波または音波の少なくともいずれか１つを発信し、
前記センサーは、信号波に代えて、電磁波または音波の少なくともいずれか１つを受信することを特徴とする請求項２０記載のコンテンツ出力装置。
【請求項２３】
前記媒体の少なくとも一部の重複部は、前記発信手段と前記センサーの間に挟まれるように配置され、前記発信手段で発信された原信号は該媒体の重複部の所定の領域で透過または減衰、屈折、遮断、吸収されて変化し該センサーで受信することを特徴とする請求項２０記載のコンテンツ出力装置。
【請求項２４】
前記媒体の少なくとも一部の重複部は、前記発信手段と前記センサーを覆うように配置され、該発信手段で発信された原信号は該媒体の重複部の所定の領域で反射または吸収されて変化し該センサーで受信することを特徴とする請求項２０記載のコンテンツ出力装置。
【請求項２５】
前記媒体の少なくとも一部の重複部は、前記発信手段が近傍に設けられた複数の前記センサーを覆うように配置され、
該媒体の重複部の第１の所定の領域で穴部または切り欠き部を設け、該発信手段で発信された原信号が該穴部または切り欠き部では通過し、
該媒体の重複部の第２の所定の領域では原信号の少なくとも一部が反射することを該複数のセンサーが識別し、前記第１と第２の所定の領域における反射光の有無の組み合わせによって該媒体を特定することを特徴とする請求項２０記載のコンテンツ出力装置。
【請求項２６】
前記媒体の少なくとも一部の重複部は、複数の前記発信手段と対となる複数の前記センサーの間に挟まれるように配置され、
該媒体の重複部の第１の所定の領域を該発信手段から発信された原信号が反射しない材料で形成し、該媒体の重複部の第２の所定の領域を原信号の少なくとも一部が反射する材料で形成することにより、該複数のセンサーが識別し、前記第１と第２の所定の領域における反射光の有無の組み合わせによって該媒体を特定することを特徴とする請求項２０記載のコンテンツ出力装置。
【請求項２７】
前記媒体の少なくとも一部の重複部は、対となる前記発信手段が近傍に設けられた複数の前記センサーを覆うように配置され、
該媒体の重複部の第１の所定の領域を該発信手段から発信された原信号が反射しない材料で形成し、
該媒体の重複部の第２の所定の領域を原信号の少なくとも一部が反射する材料で形成することにより、該複数のセンサーが識別し、前記第１と第２の所定の領域における反射光の有無の組み合わせによって該媒体を特定することを特徴とする請求項２０記載のコンテンツ出力装置。
【請求項２８】
前記媒体の重複部の第１の所定の領域は、赤外線を吸収するインクで印刷されるか、または赤外線を反射しない材料で形成され、
前記媒体の重複部の第２の所定の領域は、赤外線を反射または拡散反射する材料で形成され、
前記発信手段は赤外線を発信し、前記センサーは赤外線を受信し、前記第１と第２の所定の領域における反射光の有無の組み合わせによって該媒体を特定することを特徴とする請求項２０〜２３のいずれかに１項に記載のコンテンツ出力装置。
【請求項２９】
前記媒体識別手段は、前記媒体の少なくとも一部の領域を撮影するイメージセンサーおよび撮影されたドットパターンからコード値を復号化する復号化手段を備え、
前記媒体の少なくとも一部の重複部には、該媒体を特定するコード値が定義されたドットパターンが印刷され、
該イメージセンサーは、該ドットパターンが印刷された一部の領域を撮影し、前記復号化手段により撮影されたドットパターンを解析して前記コード値に復号化して該媒体を特定する請求項１に記載のコンテンツ出力装置。
【請求項３０】
前記媒体識別手段は、さらに前記一部の領域に所定の電磁波を照射する照射装置を備え、
前記イメージセンサーは、該所定の電磁波が照射された前記ドットパターンを撮影することを特徴とする請求項２９に記載のコンテンツ出力装置。
【請求項３１】
前記ページ識別手段は、前記媒体の少なくとも一部を撮影するイメージセンサーおよび撮影されたドットパターンからコード値を復号化する復号化手段を備え、
前記媒体の少なくとも一部の領域には、該媒体の開かれているページを特定するコード値が定義されたドットパターンが印刷され、
該イメージセンサーは、該ドットパターンが印刷された領域を撮影し、前記復号化手段により撮影されたドットパターンを解析して前記コード値に復号化して該媒体の開かれているページを特定する請求項２に記載のコンテンツ出力装置。
【請求項３２】
前記ページ識別手段は、さらに前記一部の領域に所定の電磁波を照射する照射装置を備え、
前記イメージセンサーは、該所定の電磁波が照射された前記ドットパターンを撮影することを特徴とする請求項３１に記載のコンテンツ出力装置。
【請求項３３】
前記ドットパターンが印刷される媒体面は前記所定の電磁波を反射する材料で形成され、該ドットパターンの印刷には該所定の電磁波を吸収するインクを用いる請求項３０または３２のいずれかに記載のコンテンツ出力装置。
【請求項３４】
前記所定の電磁波は所定波長の赤外線である請求項３０または、３２、３３のいずれかに記載のコンテンツ出力装置。
【請求項３５】
前記媒体識別手段は、前記媒体面の少なくとも一部を撮影できる所定の位置にカメラを設け、該媒体を撮影した画像と、予め前記記憶手段に登録された該媒体を特定する画像とを照合して、該媒体を特定することを特徴とする請求項１記載のコンテンツ出力装置。
【請求項３６】
前記媒体識別手段は、前記媒体を撮影した画像の特徴点を抽出し、該特徴点と、予め前記記憶手段に登録された該媒体を特定する画像の特徴点とを照合して、該媒体を特定することを特徴とする請求項３５記載のコンテンツ出力装置。
【請求項３７】
前記記憶手段に予め登録された媒体を撮影した画像または該画像の特徴点は、前記カメラにより撮影することを特徴とする請求項３５または３６のいずれかに記載のコンテンツ出力装置。
【請求項３８】
前記媒体には、タッチ位置を明示したグラフィックおよび／またはテキストが印刷され、
前記コンテンツ出力装置には、さらに前記媒体の１または複数のタッチ位置のどこにタッチしたかを判別するタッチ位置認識手段を備え、
前記タッチ位置認識手段は、タッチした指または所定の対象物と前記１または複数のタッチ位置を明示したグラフィックおよび／またはテキストと共に前記カメラで撮影し、画像処理によって前記媒体の１または複数のタッチ位置のどこにタッチしたかを判別し、
前記コンテンツは前記媒体と該媒体のタッチ位置毎に対応付けられて記憶され、
前記コンテンツ出力装置には、前記媒体を装着した状態において、前記タッチ位置認識手段で該媒体のタッチ位置を特定して前記記憶手段に記録された対応するコンテンツを前記出力手段で出力することを特徴とする請求項３５〜３７のいずれかに記載のコンテンツ出力装置。
【請求項３９】
前記タッチ位置認識手段は、前記タッチした指または所定の対象物と前記１または複数のタッチ位置を明示したグラフィックおよび／またはテキストと共に前記カメラで撮影された画像から、タッチ前に撮影された前記１または複数のタッチ位置を明示したグラフィックおよび／またはテキストの画像を減じて、該タッチした指または所定の対象物のみの画像を取得することによって該媒体のタッチ位置を特定して前記記憶手段に記録された対応するコンテンツを前記出力手段で出力することを特徴とする請求項３８記載のコンテンツ出力装置。
【請求項４０】
前記媒体は複数のページを綴った冊子状の媒体であることを特徴とする請求項３５〜３９のいずれかに記載のコンテンツ出力装置。
【請求項４１】
前記コンテンツは、テキストデータまたは音声データ、画像データ、映像データ、マルチメディアデータ、及びWEBの内の少なくとも１つであることを特徴とする請求項１〜４０のいずれかに記載のコンテンツ出力装置。
【請求項４２】
前記出力手段は、前記コンテンツを他の出力装置または情報機器に有線または無線で送信することを特徴とする請求項１〜４１のいずれかに記載のコンテンツ出力装置。
【請求項４３】
前記出力手段は、スピーカまたはディスプレイの少なくとも１つを備えることを特徴とする請求項１〜４２のいずれかに記載のコンテンツ出力装置。
【請求項４４】
さらに前記コンテンツを入力して前記記憶手段に記録する入力手段を備えた、請求項１〜４３のいずれかに記載のコンテンツ出力装置。
【請求項４５】
前記入力手段は、前記コンテンツを情報機器から有線または無線で受信することを特徴とする請求項４４記載のコンテンツ出力装置。
【請求項４６】
前記入力手段にはマイクを備え、該マイクより音声を録音して音声データに変換する録音手段を含むことを特徴とする請求項４４記載のコンテンツ出力装置。
【請求項４７】
前記入力手段にはカメラを備え、該カメラより画像または映像を録画して画像または映像データに変換する録画手段を含むことを特徴とする請求項４４記載のコンテンツ出力装置。
【請求項４８】
少なくともタッチ位置を明示したグラフィックや写真、テキストが印刷された媒体と、
前記媒体に脱着可能であり、少なくとも該媒体を特定する媒体識別手段と、
コンテンツを記録する記憶手段と、
前記媒体の１または複数のタッチ位置のどこにタッチしたかを判別するタッチ位置認識手段と、
該記憶手段に記録されたコンテンツを出力する出力手段とから構成されるコンテンツ出力装置であって、
前記媒体識別手段は、前記媒体の少なくとも一部を撮影できるカメラを設け、該媒体を撮影した画像と、予め前記記憶手段に登録された該媒体を特定する画像とを照合して該媒体を特定し、
前記タッチ位置認識手段は、タッチした指または所定の対象物と前記１または複数のタッチ位置を明示したグラフィックおよび／またはテキストと共に前記カメラで撮影し、画像処理によって前記媒体の１または複数のタッチ位置のどこにタッチしたかを判別し、
前記コンテンツは前記媒体と該媒体のタッチ位置毎に対応付けられて記憶され、
前記コンテンツ出力装置には、前記タッチ位置認識手段で該媒体のタッチ位置を特定して前記記憶手段に記録された対応するコンテンツを前記出力手段で出力することを特徴とするコンテンツ出力装置。
【発明の詳細な説明】
【技術分野】
【０００１】
この発明は、コンテンツ出力装置に関し、グラフィックや写真、テキストが印刷または貼付された媒体と出力装置が脱着可能で、出力装置側で装着した媒体を特定し、さらに媒体が複数ページで構成される場合は当該ページを、媒体がシート状の場合は指でタッチした位置を認識し、出力装置側の記憶手段に記録された対応するコンテンツを出力手段で出力することができるようにしたものである。
【背景技術】
【０００２】
従来、音声フォトアルバムや音声絵本などの音声ブックの開かれたページに対応して、音声データを再生／録音できるコンテンツ出力装置が知られている（例えば特許文献１の段落番号「０００８」、「００１２」、「００１３」、図１〜４及び図７参照）。さらに、グラフィックが印刷されたシートをタッチすると、タッチ位置に対応する音声が再生されるコンテンツ出力装置が知られている。
【先行技術文献】
【特許文献】
【０００３】
【特許文献１】特開平８−３２４１５４号公報
【発明の概要】
【発明が解決しようとする課題】
【０００４】
しかし、上記した従来の音声フォトアルバムや音声絵本などの音声ブックでは、開かれたページに対応して、音声データを再生／録音できたが、冊子部と再生／録音装置が一体化していたため、冊子部自体の交換ができないという問題点があった。さらに、従来の音声シートでは、グラフィックが印刷されたシートをタッチすると、タッチ位置に対応する音声データが再生できたが、シート部と再生装置が一体化していたため、シート部自体の交換ができないという問題点があった。
【０００５】
本発明はこのような点に鑑みてなされたものであり、冊子部やシート部自体の交換、すなわち着脱が可能なコンテンツ出力装置を提供することを技術的課題とする。
【課題を解決するための手段】
【０００６】
（１）本発明にかかるコンテンツ出力装置は、グラフィックや写真、テキストが印刷された媒体と、前記媒体に脱着可能であり、少なくとも該媒体を特定する媒体識別手段と、コンテンツを記録する記憶手段と、該記憶手段に記録されたコンテンツを出力する出力手段とから構成されるコンテンツ出力装置であって、前記コンテンツは前記媒体毎に対応付けられて記憶され、前記コンテンツ出力装置には、前記媒体を装着した状態において、両者の間に少なくとも一部が互いに重なり合う重複部を設け、前記媒体を装着することにより前記媒体識別手段で該媒体を特定し、前記記憶手段に記録された対応するコンテンツを前記出力手段で出力することを特徴とする。
【０００７】
（２）さらに、前記媒体は複数のページを綴った冊子状の媒体であり、さらに該媒体のページを特定するページ識別手段を備え、前記コンテンツは前記媒体と該媒体のページ毎に対応付けられて記憶され、前記コンテンツ出力装置には、前記媒体を装着した状態において、前記ページ識別手段で該媒体の開かれているページを特定して、前記記憶手段に記録された対応するコンテンツを前記出力手段で出力してもよい。
【０００８】
（３）さらに、前記媒体には、１または複数のタッチ位置を明示したグラフィックおよび／またはテキストが印刷され、前記コンテンツ出力装置には、さらに前記媒体のタッチ位置のどこにタッチしたかを判別するタッチ位置認識手段を備え、前記コンテンツは前記媒体と該媒体のタッチ位置毎に対応付けられて記憶され、前記コンテンツ出力装置には、前記媒体を装着した状態において、前記タッチ位置認識手段で該媒体のタッチ位置を特定して前記記憶手段に記録された対応するコンテンツを前記出力手段で出力してもよい。
【０００９】
（４）さらに、前記タッチ位置認識手段はカメラを備え、タッチした指または所定の対象物と前記１または複数のタッチ位置を明示したグラフィックおよび／またはテキストと共に撮影し、画像認識によって前記媒体のタッチ位置のどこにタッチしたかを判別してもよい。
【００１０】
（５）さらに、前記タッチ位置認識手段は所定の電磁波または音波を発信する発信手段と該電磁波または音波を検知するセンサーを備え、前記発信手段で発信された電磁波または音波は、タッチした指または所定の対象物で反射する第１の反射波と前記複数のタッチ位置を明示したグラフィックおよび／またはテキストが印刷された所定の領域で反射する第２の反射波を受信し、第１と第２の反射波が異なることにより前記媒体の１または複数のタッチ位置のどこにタッチしたかを判別してもよい。
【００１１】
（６）さらに、前記電磁波は赤外線であり、前記センサーは赤外線検知センサーであり、前記１または複数のタッチ位置を明示したグラフィックおよび／またはテキストは赤外線を吸収するインクで印刷されており、前記タッチした指または所定の対象物では赤外線を反射することにより前記媒体の１または複数のタッチ位置のどこにタッチしたかを判別してもよい。
【００１２】
（７）さらに、前記タッチ位置認識手段は、前記媒体に組み込まれてもよい。
【００１３】
（８）さらに、前記タッチ位置認識手段は、前記タッチ位置に検出するタッチ検出部が設けられたボードまたはシートであってもよい。
【００１４】
（９）さらに、前記媒体は複数のタッチ位置を明示したグラフィックおよび／またはテキストが印刷されたシートまたはカード状の媒体であり、さらに、該媒体を載置して該媒体の前記１または複数のタッチ位置のどこにタッチしたかを判別するタッチ位置認識手段を備え、前記コンテンツは前記媒体と該媒体のタッチ位置毎に対応付けられて記憶され、前記コンテンツ出力装置には、前記媒体を装着した状態において、前記タッチ位置認識手段で該タッチ位置を特定して、前記記憶手段に記録された対応するコンテンツを前記出力手段で出力してもよい。
【００１５】
（１０）さらに、前記ページ識別手段は所定の電磁波または音波を検知する複数のセンサーを備え、前記媒体を閉じた状態で該媒体の各ページの少なくとも一部の重複部は、該複数のセンサーの少なくとも１つを覆うように配置されて該所定の電磁波または音波を遮断し該センサーが所定量以下の該所定の電磁波または音波を検知しない状態であって、該媒体のページがめくられることによって、該重複部で覆われているセンサーが該所定の電磁波または音波を検知することにより、該媒体の開かれているページを特定してもよい。
【００１６】
（１１）さらに、前記ページ識別手段は所定の電磁波または音波を検知する複数のセンサーを備え、前記媒体を閉じた状態で該媒体の各ページの重複部は、該複数のセンサーを覆うように配置されて該所定の電磁波または音波の少なくとも一部を透過し該センサーが所定量の該所定の電磁波または音波を検知する状態であって、該媒体のページが捲られることによって、該重複部で覆われているセンサーが該所定の電磁波または音波の所定量を検知することにより、該媒体の開かれているページを特定してもよい。
【００１７】
（１２）さらに、前記所定の電磁波は、前記センサーの周辺から入射される自然光または照明機器、前記コンテンツ出力装置に設けられた光源から照射される可視光であってもよい。
【００１８】
（１３）さらに、前記ページ識別手段はセンサーを備え、前記ページ毎に所定の位置に備えた無線送信装置から発信される信号を受信し、該センサーにより前記開かれているページに備えられた該無線送信装置から発信された信号のIDと該信号の特性と、を識別し、その位置を算定して該ページを特定してもよい。
【００１９】
（１４）さらに、前記ページ識別手段は少なくとも２つのセンサーを備え、前記ページ毎に所定の位置に備えた無線送信装置から発信される信号を受信し、該少なくとも２つのセンサーにより前記開かれているページに備えられた該無線送信装置から発信された信号のIDと位置とを識別し、その位置を算定して該ページを特定してもよい。
【００２０】
（１５）さらに、前記媒体識別手段は所定の電磁波または音波を検知するセンサーを備え、前記媒体の少なくとも一部の重複部は、複数の前記センサーを覆うように配置され、該媒体の重複部の第１の所定の領域では該所定の電磁波または音波が通過または透過し、前記センサーが該所定の電磁波を検知し、該媒体の重複部の第２の所定の領域では該所定の電磁波または音波は遮断され、該センサーが所定量以下の該所定の電磁波または音波を検知しないことにより、前記第１と第２の所定の領域に入射した電磁波または音波を検知した該センサーの組み合わせによって該媒体を特定してもよい。
【００２１】
（１６）さらに、前記第１の所定の領域は、前記所定の電磁波または音波が通過できるための穴部または切り欠き部、該所定の電磁波または音波が透過する透過媒体のいずれかが設けられていてもよい。
【００２２】
（１７）さらに、前記媒体識別手段は、入力手段として備えられたマイクに向かって前記媒体を特定する言葉またはIDが発声されると、音声認識により該媒体を特定してもよい。
【００２３】
（１８）さらに、前記媒体識別手段はセンサーを備え、前記媒体に備えられた無線送信装置から発信されるID信号を受信し識別して該媒体を特定してもよい。
【００２４】
（１９）さらに、前記媒体識別手段は複数のセンサーを備え、前記媒体の所定の位置に備えた無線送信装置から発信される信号を受信し、少なくとも２個の該センサーにより該信号が発信される該無線送信装置の所定の位置を算定して該媒体を特定してもよい。
【００２５】
（２０）さらに、前記媒体識別手段は、前記重複部に信号波を発信する発信手段と信号波を受信するセンサーを所定の位置に配置し、該発信手段から発信された原信号波が前記媒体の重複部で反射または透過、減衰、屈折、遮断、吸収の少なくともいずれか１つにより原信号波が変化した信号波を、該センサーが受信して該媒体を特定してもよい。
【００２６】
（２１）さらに、前記センサーで受信した信号波は、周波数、振幅、位相、粗密度の変化またはノイズの影響の少なくともいずれか１つにより前記原信号波が変化した信号波であってもよい。
【００２７】
（２２）さらに、前記発信手段は、信号波に代えて、電磁波または音波の少なくともいずれか１つを発信し、前記センサーは、信号波に代えて、電磁波または音波の少なくともいずれか１つを受信してもよい。
【００２８】
（２３）さらに、前記媒体の少なくとも一部の重複部は、前記発信手段と前記センサーの間に挟まれるように配置され、前記発信手段で発信された原信号は該媒体の重複部の所定の領域で透過または減衰、屈折、遮断、吸収されて変化し該センサーで受信してもよい。
【００２９】
（２４）さらに、前記媒体の少なくとも一部の重複部は、前記発信手段と前記センサーを覆うように配置され、該発信手段で発信された原信号は該媒体の重複部の所定の領域で反射または吸収されて変化し該センサーで受信してもよい。
【００３０】
（２５）さらに、前記媒体の少なくとも一部の重複部は、前記発信手段が近傍に設けられた複数の前記センサーを覆うように配置され、該媒体の重複部の第１の所定の領域で穴部または切り欠き部を設け、該発信手段で発信された原信号が該穴部または切り欠き部では通過し、該媒体の重複部の第２の所定の領域では原信号の少なくとも一部が反射することを該複数のセンサーが識別し、前記第１と第２の所定の領域における反射光の有無の組み合わせによって該媒体を特定してもよい。
【００３１】
（２６）さらに、前記媒体の少なくとも一部の重複部は、複数の前記発信手段と対となる複数の前記センサーの間に挟まれるように配置され、該媒体の重複部の第１の所定の領域を該発信手段から発信された原信号が反射しない材料で形成し、該媒体の重複部の第２の所定の領域を原信号の少なくとも一部が反射する材料で形成することにより、該複数のセンサーが識別し、前記第１と第２の所定の領域における反射光の有無の組み合わせによって該媒体を特定してもよい。
【００３２】
（２７）さらに、前記媒体の少なくとも一部の重複部は、対となる前記発信手段が近傍に設けられた複数の前記センサーを覆うように配置され、該媒体の重複部の第１の所定の領域を該発信手段から発信された原信号が反射しない材料で形成し、該媒体の重複部の第２の所定の領域を原信号の少なくとも一部が反射する材料で形成することにより、該複数のセンサーが識別し、前記第１と第２の所定の領域における反射光の有無の組み合わせによって該媒体を特定してもよい。
【００３３】
（２８）さらに、前記媒体の重複部の第１の所定の領域は、赤外線を吸収するインクで印刷されるか、または赤外線を反射しない材料で形成され、前記媒体の重複部の第２の所定の領域は、赤外線を反射または拡散反射する材料で形成され、前記発信手段は赤外線を発信し、前記センサーは赤外線を受信し、前記第１と第２の所定の領域における反射光の有無の組み合わせによって該媒体を特定してもよい。
【００３４】
（２９）さらに、前記媒体識別手段は、前記媒体の少なくとも一部の領域を撮像するイメージセンサーおよび撮像されたドットパターンからコード値を復号化する復号化手段を備え、前記媒体の少なくとも一部の重複部には、該媒体を特定するコード値が定義されたドットパターンが印刷され、該イメージセンサーは、該ドットパターンが印刷された一部の領域を撮像し、前記復号化手段により撮像されたドットパターンを解析して前記コード値に復号化して該媒体を特定してもよい。
【００３５】
（３０）さらに、前記媒体識別手段は、さらに前記一部の領域に所定の電磁波を照射する照射装置を備え、前記イメージセンサーは、該所定の電磁波が照射された前記ドットパターンを撮像してもよい。
【００３６】
（３１）さらに、前記ページ識別手段は、前記媒体の少なくとも一部を撮像するイメージセンサーおよび撮像されたドットパターンからコード値を復号化する復号化手段を備え、前記媒体の少なくとも一部の領域には、該媒体の開かれているページを特定するコード値が定義されたドットパターンが印刷され、該イメージセンサーは、該ドットパターンが印刷された領域を撮像し、前記復号化手段により撮像されたドットパターンを解析して前記コード値に復号化して該媒体の開かれているページを特定してもよい。
【００３７】
（３２）さらに、前記ページ識別手段は、さらに前記一部の領域に所定の電磁波を照射する照射装置を備え、前記イメージセンサーは、該所定の電磁波が照射された前記ドットパターンを撮像してもよい。
【００３８】
（３３）さらに、前記ドットパターンが印刷される媒体面は前記所定の電磁波を反射する材料で形成され、該前記ドットパターンの印刷には該所定の電磁波を吸収するインクを用いてもよい。
【００３９】
（３４）さらに、前記所定の電磁波は所定波長の赤外線であってもよい。
【００４０】
（３５）さらに、前記媒体識別手段は、前記媒体面の少なくとも一部を撮影できる所定の位置にカメラを設け、該媒体を撮影した画像と、予め前記記憶手段に登録された該媒体を特定する画像とを照合して、該媒体を特定してもよい。
【００４１】
（３６）さらに、前記媒体識別手段は、前記媒体を撮影した画像の特徴点を抽出し、該特徴点と、予め前記記憶手段に登録された該媒体を特定する画像の特徴点とを照合して、該媒体を特定してもよい。
【００４２】
（３７）さらに、前記記憶手段に予め登録された媒体を撮像した画像または該画像の特徴点は、前記カメラにより撮像してもよい。
【００４３】
（３８）さらに、前記媒体には、タッチ位置を明示したグラフィックおよび／またはテキストが印刷され、前記コンテンツ出力装置には、さらに前記媒体の１または複数のタッチ位置のどこにタッチしたかを判別するタッチ位置認識手段を備え、前記タッチ位置認識手段は、タッチした指または所定の対象物と前記１または複数のタッチ位置を明示したグラフィックおよび／またはテキストと共に前記カメラで撮影し、画像処理によって前記媒体の１または複数のタッチ位置のどこにタッチしたかを判別し、前記コンテンツは前記媒体と該媒体のタッチ位置毎に対応付けられて記憶され、前記コンテンツ出力装置には、前記媒体を装着した状態において、前記タッチ位置認識手段で該媒体のタッチ位置を特定して前記記憶手段に記録された対応するコンテンツを前記出力手段で出力してもよい。
【００４４】
（３９）さらに、前記タッチ位置認識手段は、前記タッチした指または所定の対象物と前記１または複数のタッチ位置を明示したグラフィックおよび／またはテキストと共に前記カメラで撮影された画像から、タッチ前に撮影された前記１または複数のタッチ位置を明示したグラフィックおよび／またはテキストの画像を減じて、該タッチした指または所定の対象物のみの画像を取得することによって該媒体のタッチ位置を特定して前記記憶手段に記録された対応するコンテンツを前記出力手段で出力してもよい。
【００４５】
（４０）さらに、前記媒体は複数のページを綴った冊子状の媒体であってもよい。
【００４６】
（４１）さらに、前記コンテンツは、テキストデータまたは音声データ、画像データ、映像データ、マルチメディアデータ、WEBの少なくとも１つであってもよい。
【００４７】
（４２）さらに、前記出力手段は、前記コンテンツを他の出力装置または情報機器に有線または無線で送信してもよい。
【００４８】
（４３）さらに、前記出力手段は、スピーカまたはディスプレイの少なくとも１つを備えてもよい。
【００４９】
（４４）さらに前記コンテンツを入力して前記記憶手段に記録する入力手段を備えてもよい。
【００５０】
（４５）さらに、前記入力手段は、前記コンテンツを情報機器から有線または無線で受信してもよい。
【００５１】
（４６）さらに、前記入力手段にはマイクを備え、該マイクより音声を録音して音声データに変換する録音手段を含んでもよい。
【００５２】
（４７）さらに、前記入力手段にはカメラを備え、該カメラより画像または映像を録画して画像または映像データに変換する録画手段を含んでもよい。
【００５３】
（４８）本発明にかかるコンテンツ出力装置は、少なくともタッチ位置を明示したグラフィックや写真、テキストが印刷された媒体と、前記媒体に脱着可能であり、少なくとも該媒体を特定する媒体識別手段と、コンテンツを記録する記憶手段と、前記媒体の１または複数のタッチ位置のどこにタッチしたかを判別するタッチ位置認識手段と、該記憶手段に記録されたコンテンツを出力する出力手段とから構成されるコンテンツ出力装置であって、前記媒体識別手段は、前記媒体の少なくとも一部を撮影できるカメラを設け、該媒体を撮影した画像と、予め前期記憶手段に登録された該媒体を特定する画像とを照合して該媒体を特定し、前記タッチ位置認識手段は、タッチした指または所定の対象物と前記１または複数のタッチ位置を明示したグラフィックおよび／またはテキストと共に前記カメラで撮影し、画像処理によって前記媒体の１または複数のタッチ位置のどこにタッチしたかを判別し、前記コンテンツは前記媒体と該媒体のタッチ位置毎に対応付けられて記憶され、前記コンテンツ出力装置には、前記タッチ位置認識手段で該媒体のタッチ位置を特定して前記記憶手段に記録された対応するコンテンツを前記出力手段で出力することを特徴とする。
【発明の効果】
【００５４】
本発明によれば、グラフィックや写真、テキストが印刷または貼付された媒体の着脱が可能なコンテンツ出力装置を提供することができる。
【図面の簡単な説明】
【００５５】
【図１】冊子部と音声録音・再生装置とを分離させた状態の概略平面図である。
【図２】冊子部と音声録音・再生装置とを装着させた状態の概略平面図である。
【図３】冊子部と音声録音・再生装置とを装着させ、冊子部のページを開いた状態の概略平面図である。
【図４】光センサーについて説明するための断面図（１）である。
【図５】光センサーについて説明するための断面図（２）である。
【図６】光センサーについて説明するための断面図（３）である。
【図７】音声録音・再生装置について説明するための図であり、（ａ）は、音声録音・再生装置３０の平面図、（ｂ）は左側面図、（ｃ）は背面図、（ｄ）は右側面図、（ｅ）は正面図、（ｆ）は背面図である。
【図８】電子制御装置の動作を説明するための概略ブロック図である。
【図９】音声録音・再生装置と冊子部の各頁の台紙とを説明するための平面図である。
【図１０】ページ特定部について説明する図である。
【図１１】取付部の他の形態について説明する図である。
【図１２】本発明の第２の実施の形態を示し、同図は冊子部のページ特定部を説明するための一部平面図（１）である。
【図１３】本発明の第２の実施の形態を示し、同図は冊子部のページ特定部を説明するための一部平面図（２）である。
【図１４】本発明の第３の実施の形態を示し、同図は冊子部のページ特定部を説明するための一部平面図（１）である。
【図１５】本発明の第３の実施の形態を示し、同図は冊子部のページ特定部を説明するための一部平面図（２）である。
【図１６】本発明の第４の実施の形態を示し、同図は台紙とシールとを説明するための一部断面図である。
【図１７】図１６に対応し、シールを貼着した状態の一部断面図である。
【図１８】本発明の第５の実施の形態を示し、同図は台紙を説明するための一部断面図である。
【図１９】図１８に対応し、台紙に印刷部を印刷した状態を説明するための一部断面図である。
【図２０】本発明の第６の実施の形態を示し、同図は台紙を説明するための一部断面図である。
【図２１】本発明の第７の実施の形態を示し、同図は冊子識別用検出部および端子押圧部を説明するための一部断面図である。
【図２２】冊子識別用検出部の側面図、端子押圧部の平面図である。
【図２３】図２１に対応し、端子押圧部を差込溝に差し込んだ状態を説明するための一部断面図である。
【図２４】本発明の第８の実施の形態を示し、冊子識別部においてドットパターンを用いた状態を説明するための一部断面図である。
【図２５】本発明の第９の実施の形態を示し、取付片の変形例について説明する図（１）である。
【図２６】本発明の第９の実施の形態を示し、取付片の変形例について説明する図（２）である。
【図２７】本発明の第９の実施の形態を示し、取付片の変形例について説明する図（３）である。
【図２８】本発明の第１０の実施の形態を示し、タッチ検出部を有する音声録音・再生装置の平面図である。
【図２９】本発明の第１１の実施の形態を示し、図２８のタッチ検出部の変形例を説明するためのものであり、当該タッチ検出部を有する音声録音・再生装置の平面図である。
【図３０】本発明の第１２の実施の形態を示し、同図はコンテンツ出力装置を説明するための平面図である。メンブレンスイッチの下部接点シートの平面図である。
【図３１】図３０のコンテンツ出力装置に脱着可能な専用シートを説明するための平面図である。
【図３２】タッチ検出部に用いるメンブレンスイッチの説明図である。
【図３３】メンブレンスイッチの上部接点シートの平面図である。
【図３４】メンブレンスイッチの下部接点シートの平面図である。
【図３５】メンブレンスイッチのスペーサーの平面図である。
【図３６】本発明の第１３の実施の形態を示し、位置決め用の凹凸部を有する音声録音・再生装置について説明する図である。
【図３７】本発明の第１３の実施の形態に用いる台紙について説明する図である。
【図３８】本発明の第１４の実施の形態を示し、カメラを有する音声録音・再生装置について説明する図である。
【図３９】図３８の音声録音・再生装置とタッチシートの使用状態を示す図である。
【図４０】冊子の各ページに印刷されたドットパターンを用いて冊子およびページを識別する実施例について説明する図である。
【発明を実施するための形態】
【００５６】
（図１〜１２に示す第１の実施の形態）
図１〜３中、１０は音声ブックを示すものである。
【００５７】
音声ブック１０は、図１〜３に示すように、大別すると、次のパーツを備える。
【００５８】
なお、次の（１）および（２）については、後述する。
【００５９】
（１）冊子部２０
（２）音声録音・再生装置３０（音声再生装置）
なお、音声ブック１０のパーツは、上記した（１）および（２）に限定されず、（２）の音声録音・再生装置３０から録音機能を除き、「音声再生装置」としてもよい。
【００６０】
（冊子部２０）
冊子部２０は、図３に示すように、イラスト２７ａやプリントした写真２７ｂを保持可能なものである。
【００６１】
なお、イラスト２７ａ、写真２７ｂを例示したが、これに限定されず、メッセージカード、ポストカード、本や雑誌などの切り抜きなどでもよい。さらに、冊子はグラフィックや写真、テキストが印刷された絵本や図鑑、写真集など様々な出版物であってもよい。
【００６２】
冊子部２０は、所定の冊数、例えば本実施の形態では最大６４冊の冊子部２０を識別可能である。
【００６３】
なお、冊子部２０の冊数として、後述する冊子識別用の光センサー４３が６個の場合は、２の６乗で６４冊を例示したが、これに限定されず、冊子識別用の光センサー４３の個数を増加させることで、６５冊以上の冊子部２０を識別させることも可能である。
【００６４】
冊子部２０には、図１および図２に示すように、音声録音・再生装置３０を冊子部２０に装着した状態において、両者の間に少なくとも一部が互いに重なり合う重複部を設定している。さらに、図示しないが冊子部２０と音声録音・再生装置３０が脱着可能な構造となっている。
【００６５】
冊子部２０には、図１〜３に示すように、大別すると、次のパーツから構成されている。
【００６６】
（１）表表紙２１
（２）台紙２２
台紙２２は、複数枚設けられ、本実施の形態では、計１０ページの開かれた見開きページを特定することができる。
【００６７】
なお、ページを特定できる枚数として、計１０ページを限定したが、枚数は２ページ以上であれば良く、３〜９ページ、あるいは後述するページ特定用の光センサー４３の個数を増加させることで、１１ページ以上を特定することも可能である。
【００６８】
（３）裏表紙２３
（４）とじ部２４
とじ部２４は、表表紙２１、台紙２２、裏表紙２３の端部をとじることで、一冊の冊子部２０を形成するためのものである。
【００６９】
（５）取付部１０２０
音声録音・再生装置３０の装置本体１０００から突出した取付片１０１０（詳細は後述）を、冊子部２０に取り付けるためのものである。
【００７０】
取付部１０２０は、冊子部２０の最終頁の後に、所定形状の空間として設けられている。
【００７１】
（冊子部２０と音声録音・再生装置３０との重複部）
また、冊子部２０には、図１〜３に示すように、音声録音・再生装置３０を冊子部２０に装着した状態において、両者の間に少なくとも一部が互いに重なり合う重複部が設定されている。
【００７２】
上記重複部は、図１〜３に示すように、冊子部２０のとじ部２４と反対側の自由端部側に設定されている。
【００７３】
なお、重複部を、冊子部２０の自由端部側に設定したが、これに限定されず、音声録音・再生装置３０をとじ部２４側に設定したり、あるいは上縁側や下縁側に設定しても良い。
【００７４】
前記重複部のうち、音声録音・再生装置３０側には、図１に示すように、後述する光センサー４３を用いた検出部４０（冊子識別用検出部４１およびページ特定用検出部４２）を配置し、冊子部２０側には冊子識別用の光センサー４３を覆うように冊子識別部２５及び、ページ識別用の光センサーを覆うようにページ特定部２６を配置する。
【００７５】
なお、上記した音声録音・再生装置３０側の「検出部４０」、ならびに冊子部２０側の「冊子識別部２５」および「ページ特定部２６」については後述する。
【００７６】
（光センサー４３）
光センサー４３は、図４〜６に示すように、音声録音・再生装置３０側に配置される。
【００７７】
本実施の形態の特徴は、検出部４０（冊子識別用検出部４１およびページ特定用検出部４２）に、発光部の無い、周辺光を検出する光センサー４３を使用した点である。
【００７８】
本実施の形態では、光センサー４３を、図４に示すように、発光部の無い、周辺光を検出する、例えばフォトセンサーや赤外線センサー等から構成している。
【００７９】
本実施の形態によれば、部品点数の減少、又、制御の容易化がはかれるばかりでなく、安価な光センサーを使用できる。
【００８０】
検出部４０としては、次のセンサーが使用可能である。
【００８１】
（１）本実施の形態のフォトセンサーや赤外線センサー等の光センサー４３
（２）発光部４３ａと受光部４３ｂとから構成されている光センサー４３
光センサー４３は、例えばＩＲ−ＬＥＤ等を使用した発光部４３ａと、例えば所定の波長領域の赤外線のみを通過するフィルタ、およびC-MOSセンサー等を使用した受光部４３ｂとから構成されている。このように発光部４３ａを追加した場合、環境光に影響されず、例えば暗い室内でも使用できる、という利点を有する。
【００８２】
本（２）及び上記（１）は、電磁波を受光する光センサーとして分類できる。
【００８３】
（３）音波センサー
音波センサーについては、図示しないが、超音波を発射し、その反射・吸収の別をセンサー側で検出できるようにしたものである。
【００８４】
（４）電波センサー
電波センサーについては、図示しないが、電波を発射し、その反射された電波をアンテナ等で受信し、その反射・吸収の別を検出したり、或いは発射された電波をアンテナ等で受信し、受信・非受信の別、もしくは受信した電波に含まれる情報により検出できるようにしたものである。本（４）および上記（３）は、音波や信号を受信する光以外のセンサーとして分類できる。
【００８５】
本実施の形態の説明に戻ると、光センサー４３は、図４に示すように、音声録音・再生装置３０の検出部４０に配置している。検出部４０には、上面が開放した凹部１３２２を設け、当該凹部１３２２内に光センサー４３を配置している。凹部１３２２の開放した上面は、カバー１３２３で塞いでいる。カバー１３２３は、フォトセンサーや赤外線センサーで検出する周辺光が通過可能なものであればよい。なお、カバー１３２３は無くてもよい。
【００８６】
冊子部２０は、図４に示すように、１ページ目の台紙１３３１と２ページ目の台紙１３３２とから構成されている。なお、ページ数は、２ページに限定されない。
【００８７】
台紙１３３１，１３３２には、光センサー１３１０の検出位置に、ページ特定部１３４０を設けておく。ページ特定部１３４０は、周辺光を遮蔽する非透光部１３４１と、周辺光を透過する透光部１３４２とから構成する。透光部１３４２は切り欠き部分から構成してもよいし、或いは周辺光が通過可能な材質から構成してもよい。
【００８８】
図５に示すように、１ページ目の台紙１３３１と２ページ目の台紙１３３２とを共に閉じた状態においては、周辺光が、１ページ目の台紙１３３１の非透光部１３４１により遮光され、光センサー４３に到達しないため、１ページ目の台紙１３３１が閉じていることが検出できる。なお、ここでは、検出部４０を平面に設けているため、台紙１３３２の上に台紙１３３１が重なる構造としているが、図１〜図４の実施例では、ページ検出部４０がページ毎に段差を設けているため、台紙１３３１が検出部４０に直接重なる。
【００８９】
図６に示すように、１ページ目の台紙１３３１を開くと、２ページ目の台紙１３３２の透光部１３４２が開放される。このため、周辺光が、２ページ目の台紙１３３２の透光部１３４２を通って光センサー４３に入射するため、１ページ目の台紙１３３１が開かれていることが検出できる。
【００９０】
（冊子識別部２５）
冊子識別部２５は、冊子識別用の光センサー４３により検出されるものであり、当該光センサー４３へ入射される光を透過または遮蔽させることにより、複数冊の冊子部２０のうちから、音声録音・再生装置３０に装着された特定、すなわち１冊の冊子部２０を識別させるためのものである。
【００９１】
冊子識別部２５は、冊子識別用の光センサー４３に対応して位置する。
【００９２】
冊子を識別する原理は、上記（光センサー４３）で説明した通りである。
【００９３】
（ページ特定部２６）
ページ特定部２６は、ページ特定用の光センサー４３により検出されるものであり、光センサー４３へ入射される光を透過または遮蔽させることにより、装着された冊子部２０の何ページが開かれているかを特定させるためのものである。
【００９４】
ページを特定する原理は、上記（光センサー４３）で説明した通りである。
（音声録音・再生装置３０（音声再生装置））
音声録音・再生装置３０は、図１〜３に示すように、冊子部２０に脱着可能で、音声データを記憶し、当該音声データを再生可能なものである。
【００９５】
音声録音・再生装置３０の具体的な構成を図７に示す。図７（ａ）は、音声録音・再生装置３０の平面図、（ｂ）は左側面図、（ｃ）は背面図、（ｄ）は右側面図、（ｅ）は正面図、（ｆ）は背面図である。
【００９６】
なお、音声録音・再生装置３０には、録音機能を持たせているが、これに限定されず、録音機能を除き、「音声再生装置」としてもよい。
【００９７】
音声録音・再生装置３０は、大別すると、装置本体１０００と、取付片１０１０とからなる。
【００９８】
装置本体１０００には、電機部品が集中的に設けられている。すなわち、装置本体１０００は、大別すると、検出部４０と操作部５０とから構成されている。
【００９９】
音声データは、冊子部２０が所定の冊数あることを前提とし、所定の冊数の各冊子部２０に対応付けられて、後述する図８の音声データ記憶部６２に記憶されている。
【０１００】
音声録音・再生装置３０には、図１〜３に示すように、冊子部２０に装着した状態において、両者の間に少なくとも一部が互いに重なり合う重複部を設定している。
【０１０１】
上記重複部は、冊子部２０側の重複部（冊子識別部２５およびページ特定部２６）と重なり合うものであり、後述する検出部４０を配置している。
【０１０２】
音声録音・再生装置３０は、図１〜３に示すように、大別すると、次の各部を設けている。
【０１０３】
なお、次の（１）〜（３）については、後述する。
【０１０４】
（１）検出部４０
（２）操作部５０
（３）電子制御装置６０
なお、音声録音・再生装置３０の各部は、上記した（１）〜（３）に限定されない。
【０１０５】
（検出部４０）
検出部４０は、冊子部２０の各種の検出を行うためのものであり、冊子部２０との重複部に配置されている。
【０１０６】
具体的には、検出部４０は、図１〜３において向かって左側の側面側から見ると、図７に示すように、冊子部２０の下側から上側に向かって階段状に高くなった形状に形成されている。
【０１０７】
階段状の部分の各段の高さは、冊子部２０の表表紙２１や台紙２２、２２ａの厚さに等しく設定されている。これにより、表表紙２１や台紙２２、２２ａを開いたときに、開いたページの上面と、露出した検出部４０の上面とが略面一となるようにしている。
【０１０８】
検出部４０には、図１〜３、７に示すように、次の各部を設けている。
【０１０９】
なお、次の（１）および（２）については後述する。
【０１１０】
（１）冊子識別用検出部４１
（２）ページ特定用検出部４２
なお、検出部４０の各部は、上記した（１）および（２）に限定されず、例えば「（２）ページ特定用検出部４２」を省いてもよい。
【０１１１】
（冊子識別用検出部４１）
冊子識別用検出部４１は、複数冊の冊子部２０のうちから、音声録音・再生装置３０に装着された１冊の冊子部２０の識別を行う冊子識別用のものである。
【０１１２】
具体的には、冊子識別用検出部４１は、検出部４０の最も低くなった階段状の部分に位置し、冊子識別用の光センサー４３を複数個、例えば６個、所定の位置に配置している。６個の光センサー４３は、上下方向に一列に並んで配置されている。
【０１１３】
６個の光センサー４３への光の入射の組み合わせにより、６個の光センサー４３への光の入射が全くない場合を含め、計６４種類の冊子部２０を識別することが可能である。
【０１１４】
なお、光センサー４３を、６個設けたが、これに限定されず、複数個あれば足り、例えば２個、３個あるいは７個以上設けてもよい。また、光センサー４３を、上下方向に一列に並んで配置したが、これに限定されず、例えば左右方向に一列に、あるいは多段に配置してもよい。
【０１１５】
また、冊子識別用検出部４１には、後述する安価な冊子識別用検出部９０１を用いることができる。
【０１１６】
（ページ特定用検出部４２）
ページ特定用検出部４２は、装着された冊子部２０の何ページが開かれているかを特定するページ特定用のものである。
【０１１７】
具体的には、ページ特定用検出部４２は、検出部４０の階段状の部分に、ページ特定用の光センサー４３を各々位置させ、計９個設けている。
【０１１８】
なお、ページ特定用検出部４２を、９個設けたが、これに限定されず、複数個あれば足り、例えば２〜８個あるいは１０個以上設けてもよい。
【０１１９】
ページ特定用検出部４２には、フォトセンサーや赤外線センサー等の比較的安価なセンサーを用いることができる。もちろん、発光部４３ａと受光部４３ｂとからなる光センサー４３を用いてもよい。受光部４３ｂを有する光センサー４３を用いる場合には、環境光に左右されないで、暗い屋内や屋外でも使用できる。また、発光部４３ａとしては、例えばＩＲ−ＬＥＤを使用する場合には、その照射面を赤外線が通過可能なプラスチック等の板で塞ぐことができ、外観や体裁を向上することができる。
【０１２０】
（操作部５０）
操作部５０は、音声録音・再生装置３０の各種の操作を行うためのものである。
【０１２１】
操作部５０には、図１〜３、７に示すように、次の各部を備える。
【０１２２】
なお、操作部５０の各部は、次の（１）〜（４）に限定されない。
【０１２３】
（１）スピーカ５１
スピーカ５１は、操作部５０の上側に位置し、後述する電子制御装置６０に接続され、音声データを再生するものである。
【０１２４】
なお、スピーカ５１の位置として、操作部５０の上側を例示したが、これに限定されず、操作部５０の他の位置に配置してもよいし、あるいは検出部４０側に配置してもよい。
【０１２５】
（２）マイク５２
マイク５２は、操作パネル５３の下側に位置し、後述する電子制御装置６０に接続され、音声を録音するためのものである。
【０１２６】
なお、マイク５２の位置として、操作パネル５３の下側を例示したが、これに限定されず、操作部５０の他の位置に配置してもよいし、あるいは検出部４０側に配置してもよい。
【０１２７】
（３）操作パネル５３
操作パネル５３は、スピーカ５１の下側に縦長に配置され、後述する電子制御装置６０に接続され、各種の操作を行うためのものである。
【０１２８】
操作パネル５３には、例えば電源ボタン、一時停止ボタン、録音ボタン、ボリューム＋ボタン、ボリューム−ボタン、次再生ボタン、消去ボタンから構成されるスイッチ群７０（図８）のほか、各種の状態を表示するための第１状態表示部（３色ＬＥＤ）や第２状態表示部（３色ＬＥＤ）から構成される状態表示部８０（図８）が配置されている。さらに、言語切り替えやクイズモード、○・×、YES・NOの回答などの様々な機能を設けてよい。
【０１２９】
なお、操作パネル５３の位置として、マイク５２の上側を例示したが、これに限定されず、操作部５０の他の位置に配置してもよいし、又、スイッチ群７０や状態表示部８０を集中的に配置したが、分散させて配置してもよい。操作パネル５３をボタンではなくタッチパネルにしてもよい。
【０１３０】
（４）電源部５４
電源部５４は、操作パネル５３の裏側に縦長に配置され、後述する電子制御装置６０に接続され、電源を供給するためのものである。
【０１３１】
なお、電源部５４の位置として、操作パネル５３の下側を例示したが、これに限定されず、操作部５０の他の位置に配置してもよいし、あるいは検出部４０側に配置してもよい。
【０１３２】
具体的には、電源部５４には、電池を使用している。
【０１３３】
なお、電源部５４に電池を使用したが、外部から電源を供給するようにしてもよい。
【０１３４】
（電子制御装置６０）
電子制御装置６０は、装置本体１０００の内部に格納され、音声録音・再生装置３０の各種の動作を制御するためのものであり、例えばＣＰＵ、ＲＡＭ、ＲＯＭ等から構成されている。
【０１３５】
電子制御装置６０の入力段には、図８に示すように、冊子識別用検出部４１、ページ特定用検出部４２、マイク５２およびスイッチ群７０がそれぞれ接続されている。
【０１３６】
電子制御装置６０の出力段には、図８に示すように、冊子識別用検出部４１、ページ特定用検出部４２、スピーカ５１、状態表示部８０および外部接続部９０がそれぞれ接続されている。外部接続部９０は、音声録音・再生装置３０と外部を接続するためのであり、図示しないが、イヤホンジャック、マイクジャック、ＵＳＢジャック、カードスロット等の少なくとも１個以上が設けられている。
【０１３７】
また、電子制御装置６０には、電源部５４が接続されている。
【０１３８】
前記ＣＰＵは、プログラムを読み込むことで、電子制御装置６０を、図８に示すように、次の各部として機能させる。
【０１３９】
なお、電子制御装置６０の各部は、次の（１）〜（４）に限定されない。
【０１４０】
（１）光センサー制御部６１
光センサー制御部６１は、冊子識別用検出部４１およびページ特定用検出部４２の光センサー４３を制御するものである。
【０１４１】
具体的には、光センサー制御部６１は、次の各部を備える。
【０１４２】
なお、光センサー制御部６１の各部は、次の（１−１）〜（１−２）に限定されない。
【０１４３】
（１−１）冊子識別制御部６１ａ
冊子識別制御部６１ａは、計４個の冊子識別用の光センサー４３からのセンサー信号の組み合わせにもとづいて、音声録音・再生装置３０に装着された１冊の冊子部２０の識別を行うためのものである。
【０１４４】
冊子識別制御部６１ａは、装着された冊子部２０に対応する音声データを、音声データ記憶部６２から読み出し、音声再生制御部６４を介して再生させる。
【０１４５】
（１−２）ページ特定制御部６１ｂ
ページ特定制御部６１ｂは、ページ特定用の光センサー４３からのセンサー信号の組み合わせにもとづいて、冊子識別制御部６１ａにより識別された冊子部２０の何ページ目が開かれているかを特定するためのものである。
【０１４６】
（２）音声データ記憶部６２
音声データ記憶部６２は、音声データを記憶するものである。
【０１４７】
音声データは、冊子部２０が所定の冊数あることを前提とし、所定の冊数の各冊子部２０に対応付けられて記憶されている。
【０１４８】
また、音声データは、冊子部２０毎の各ページに対応付けられて記憶されている。
【０１４９】
音声データは、録音したもののほか、予め記憶さているものや、ネットからダウンロードしたものでもよいし、あるいはＣＤ等から曲を録音し、ＢＧＭとしてもよい。
【０１５０】
（３）音声録音制御部６３
音声録音制御部６３は、音声の録音を制御するためのものであり、録音した音声データは、音声データ記憶部６２に記憶される。
【０１５１】
（４）音声再生制御部６４
音声再生制御部６４は、音声データ記憶部６２に記憶された音声データを再生するためのものである。
【０１５２】
（冊子部２０と音声録音・再生装置の着脱および取付片について）
音声録音・再生装置３０の装置本体１０００はユニット化されており、当該装置本体１０００から突出した取付片１０１０を、図１に示すように、冊子部２０の台紙２２（図１〜３参照）に形成した溝状の取付部１０２０に挿入ないし引き出すことで、装置本体１０００を冊子部２０に簡便に着脱することができるようにした点である。
【０１５３】
本実施の形態によれば、複数の冊子部２０に対して装置本体１０００を共用して使用することができる。
【０１５４】
なお、装置本体１０００に取付片１０１０を形成し、台紙２２側に溝状の取付部１０２０を形成したが、これに限らず、図示しないが、台紙２２側に取付片を、装置本体１０００側に溝状の取付部１０２０を形成してもよい。また、取付部１０２０を溝状にすると説明したが、これに限らず、穴状や凹状に形成してもよい。取付部１０２０は、台紙２２とは別体として製造して、ネジやビス止め、接着などにより固定してもよい。
【０１５５】
取付片１０１０は、装置本体１０００から舌片状に突出する。取付片１０１０は、図示しないが、冊子部２０の台紙２２（図１〜３参照）に設けた溝状の取付部１０２０に挿入することで、装置本体１０００を冊子部２０に装着できるようにしている。取付片１０１０と取付部１０２０の固定は、冊子部２０が装置本体１０００から容易に外れないようにすればよく、取付片１０１０が摩擦抵抗や凹凸の係合により容易に外れないようにしておけば足りる。もちろん、ネジやビス止めしてもよい。
【０１５６】
（音声ブック１０の使用方法）
つぎに、上記構成を備える音声ブック１０の使用方法について、以下に説明する。
【０１５７】
冊子部２０を、音声録音・再生装置３０に装着すると、当該冊子部２０を識別する。その後、音声の再生中に、ページをめくると、開いたページを特定し、当該ページに関連付けられた音声データを再生する。続けて、ページをめくると、次のページに関連付けられた音声データを順番に再生する。
【０１５８】
一方、録音ボタンを押すと、録音が開始され、録音された音声データは、開かれているページに関連付けて記憶される。録音後、当該ページを開くと、録音された音声データが再生される。
【０１５９】
また、音声録音・再生装置３０に装着されていた冊子部２０を取り外し、他の冊子部２０を交換すると、交換した冊子部２０を識別し、当該冊子部２０に関連付けられた音声データが再生される。
【０１６０】
さらに、操作パネルに言語切り替えやクイズモード、○・×、YES・NOの回答などの様々な機能を有するボタンを設けることにより、再生音声を日本語や英語に切り替えたり、クイズモードでは、クイズが再生され、その回答を所定のボタンを押すことによって正誤を判定することができる。もちろん、数字やアルファベットなどのボタンを設け回答してもよい。これらのボタンは押圧式のボタンに限定されず、静電容量方式、抵抗膜方式（アナログ抵抗膜方式）、超音波表面弾性波方式、音響パルス認識方式、振動検出方式(DST)、赤外線遮光方式、電磁誘導方式、光センサー内蔵LCD方式等感圧センサー、などのタッチパネルを使用してもよい。
【０１６１】
（ページ特定部について）
つぎに、本実施例の音声録音・再生装置３０に好適な冊子部２０のページ特定部１５２０について説明する。
【０１６２】
図９に示すように、冊子部２０の各ページの台紙１４１０〜１５１０には、非透光部１５２１・透光部１５２２を有するページ特定部１５２０を形成している。
【０１６３】
非透光部１５２１は、図１０に示すように、台紙１４１０の自由端をタブ状にあるいは舌状に突出させて形成している。透光部１５２２は、タブ状の非透光部１５２１の端部、例えば上側の端部の一部を短く切り欠くことで形成している。
【０１６４】
なお、図９の第１頁を開いている状態では、音声録音・再生装置３０から音声は発声されない。第１頁では、冊子識別用およびページ特定用の両方の光センサー４３が隠れている状態である。この状態で音声を発声させると、冊子を閉じたときにも音声が発声されてしまうからである。
【０１６５】
また、第１０頁のタブには、１個または複数の穴が設けられている。この穴により、冊子を識別する。
【０１６６】
第１０頁の次は、音声録音・再生装置３０の取付片１０１０を差し込むための取付部１０２０を固定するための台紙（固定用台紙）である。
【０１６７】
ユーザが１０頁をめくったときに、冊子識別用のタブが離れてしまい、冊子を識別することができなくなってしまうことを防ぐため、１０頁と固定用台紙とを接着してもよい。
【０１６８】
音声録音・再生装置３０の構造は、先に図７を用いて説明した通りである。
【０１６９】
なお、上述のように、取付部１０２０は、冊子部の最終頁の後に、所定形状の空間として設けられているが、図１１に示すように、最終頁の台紙１５１０を取付片と同様な硬質の材料で取付部を兼ねて成型してもよい。
【０１７０】
（図１２および図１３に示す第２の実施の形態）
つぎに、図１２および図１３を用いて本発明の第２の実施の形態について説明する。
【０１７１】
本実施の形態の特徴は、反射部としてタブ２００を設け、非反射部として切欠部２１０を設けた点である。
【０１７２】
本実施の形態の反射部としてタブ２００は、図１２および図１３に示すように、前後のページで重なり合うことがないようにしている。
【０１７３】
なお、ページ特定部２６を例に挙げて説明したが、冊子識別部２５に用いることもできる。
【０１７４】
（図１４および図１５に示す第３の実施の形態）
つぎに、図１４および図１５を用いて本発明の第３の実施の形態について説明する。
【０１７５】
本実施の形態の特徴は、第一に、光センサー４３に、光の特定の波長領域、例えば赤外線を検出するようにした点である。
【０１７６】
第二に、図１４および図１５に示すように、光の特定の波長領域、例えば赤外線を少なくとも反射または拡散反射する反射部として赤外線反射層３１０を設けた点である。
【０１７７】
第三に、図１４および図１５に示すように、光の特定の波長領域、例えば赤外線を少なくとも透過または吸収する非反射部として赤外線非反射層３００を形成している。
【０１７８】
なお、光の特定の波長領域として、赤外線を例示したが、これに限定されない。また、ページ特定部２６を例に挙げて説明したが、冊子識別部２５に用いることもできる。
【０１７９】
（図１６および図１７に示す第４の実施の形態）
つぎに、図１６および図１７を用いて本発明の第４の実施の形態について説明する。
【０１８０】
本実施の形態の特徴は、図１６および図１７に示すように、非反射部として、台紙４００の表裏面に貫通する穴４０１を形成し、当該穴４０１の裏面側をシール４１０で塞ぐことで、反射部を形成した点である。
【０１８１】
なお、非反射部として穴４０１を形成したが、これに限定されず、切り欠きを形成してもよい。
【０１８２】
シール４１０は、穴４０１を透過して、光センサー４３（図示せず）に入射する光を反射または拡散反射可能なものである。
【０１８３】
また、本実施例おいても、先に図１４および図１５を用いて説明した第３の実施の形態と同様に、光センサー４３（図示せず）を、光の特定の波長領域、例えば赤外線を検出するものとし、シール４１０により、光の特定の波長領域、例えば赤外線を減光（赤外線の遮光を含む。）させるようにしてもよい。
【０１８４】
なお、光の特定の波長領域として、赤外線を例示したが、これに限定されない。また、シール４１０を、台紙４００の裏面側から貼着したが、これに限定されず、表面側から貼着してもよい。シール４１０を表面側から貼着することにより、穴を隠す効果もある。さらに、上記のシールは、部分的に貼着するのではなく、テープのように台紙４００の縁部の領域に貼着して縁部全体を隠してもよい。ここでは、ページ特定部２６を例に挙げて説明したが、冊子識別部２５に用いることもできる。
【０１８５】
（図１８および図１９に示す第５の実施の形態）
つぎに、図１８および図１９を用いて本発明の第５の実施の形態について説明する。
【０１８６】
本実施の形態の特徴は、図１８および図１９に示すように、台紙５００に透明部５０１（半透明も含む。）を形成して非反射部とし、光センサー４３（図示せず）に入射する光を反射または拡散反射な印刷部５１０を透明部５０１の裏面側に印刷して、反射部を形成した点である。
【０１８７】
また、本実施例おいても、先に図１４および図１５を用いて説明した第３の実施の形態と同様に、光センサー４３（図示せず）を、光の特定の波長領域、例えば赤外線を検出するものとし、印刷部５１０に、光の特定の波長領域、例えば赤外線を反射または拡散反射可能なインクを使用するようにしてもよい。
【０１８８】
なお、光の特定の波長領域として、赤外線を例示したが、これに限定されない。また、印刷部５１０を、台紙４００の裏面側から印刷したが、これに限定されず、表面側から印刷してもよい。さらに、ページ特定部２６を例に挙げて説明したが、冊子識別部２５に用いることもできる。
【０１８９】
（図２０に示す第６の実施の形態）
つぎに、図２０を用いて本発明の第６の実施の形態について説明する。
【０１９０】
本実施の形態の特徴は、図２０に示すように、先に図１を用いて説明した第１の実施の形態では、検出部４０に光センサー４３を用いたが、これに代えてマイクロスイッチ６１０を用いた点である。
【０１９１】
すなわち、第一に、音声録音・再生装置３０側の重複部（検出部４０、図示せず）には、図２０に示すように、冊子識別用のマイクロスイッチ６１０を複数個、所定の位置に配置している。
【０１９２】
冊子部２０側の重複部（冊子識別部２５及びページ特定部２６、図示せず）には、図２０に示すように、各マイクロスイッチ６１０の位置に対応させた位置にそれぞれ配置され、当該各マイクロスイッチ６１０のアクチュエータ６１１を動作させる押圧部６０１又は動作させない非接触部６０２のいずれか一方を形成した冊子識別部２５（図示せず）を、マイクロスイッチ６１０と少なくとも同数個配置している。
【０１９３】
音声録音・再生装置３０は、図２０に示すように、マイクロスイッチ６１０のアクチュエータ６１１の動作の組み合わせにより、当該音声録音・再生装置３０に装着された冊子部２０を識別し、当該冊子部２０に関連付けられた音声データを再生することができるようにしている。
【０１９４】
第二に、冊子部２０の各ページの重複部（冊子識別部２５及びページ特定部２６、図示せず）には、図２０に示すように、ページ特定用の各マイクロスイッチ６１０の位置に対応させた位置にそれぞれ配置され、当該各マイクロスイッチ６１０のアクチュエータ６１１を動作させる押圧部６０１又は動作させない非接触部６０２のいずれか一方を形成したページ特定部２６を、ページ特定用のマイクロスイッチ６１０と少なくとも同数個配置している。
【０１９５】
音声録音・再生装置３０は、図２０に示すように、ページ特定用のマイクロスイッチ６１０のアクチュエータ６１１の動作の組み合わせにより、当該音声録音・再生装置３０に装着された冊子部２０の開かれたページを特定し、当該ページに関連付けられた音声データを再生することができるようにしている。
【０１９６】
具体的には、マイクロスイッチ６１０は、図２０に示すように、音声録音・再生装置３０を埋設状に設け、そのアクチュエータ６１１を、穴を介して冊子部２０側に臨ませている。
【０１９７】
押圧部６０１は、図２０に示すように、冊子部２０の台紙６００の裏面から半球形に突出させている。押圧部６０１は、台紙６００を音声録音・再生装置３０に接近させた際に、穴を介してアクチュエータ６１１を押圧することで、マイクロスイッチ６１０を動作させる。これに対し、台紙６００を離隔させると、マイクロスイッチ６２０が動作状態から非動作となる。また、非接触部６０２は、押圧部６０１の無い部分をいい、図示しないが、押圧部６０１が形成されていない台紙６００を、音声録音・再生装置３０に接近させた際に、マイクロスイッチ６１０が動作しない。
【０１９８】
音声録音・再生装置３０は、マイクロスイッチ６１０の動作・非動作の別の組み合わせにより、冊子識別およびページ特定を行っている。
【０１９９】
なお、押圧部６０１を半球形に形成したが、これに限定されず、例えばピン状に形成してもよい。
【０２００】
（図２１〜２３に示す第７の実施の形態）
つぎに、図２１〜２３を用いて、第７の実施の形態について説明する。
【０２０１】
本実施の形態の特徴は、冊子識別用検出部９０１として可動端子９０２を用い、当該可動端子９０２を冊子部２０の台紙９１０から突出した端子押圧部９１１により押圧あるいは非押圧させることで、当該冊子識別用検出部９０１をオン・オフさせるようにした点である。
【０２０２】
本実施の形態によれば、安価な冊子識別用検出部９０１を提供できる。
【０２０３】
音声録音・再生装置９００には、図２２に示すように、台紙９１０の端子押圧部９１１を差し込み可能な差込溝９０３を設け、差込溝９０３の奥に複数個、例えば６個の可動端子９０２を所定の間隔離して配置している。
【０２０４】
なお、音声録音・再生装置９００を例示したが、これに限定されず、録音機能を省き、予め記録された音声を冊子部２０のページをめくることで、選択的に再生させるようにしてもよい。また、端子押圧部９１１を６個配置したが、これに限られず、複数であれば良く、２〜５個あるいは７個以上は位置してもよい。
【０２０５】
可動端子９０２は、図２１に示すように、基板９０５からバネ状に延び、基板９０５の上面には可動端子９０２を下降させた際に接触する固定接点９０６を設けている。
【０２０６】
その結果、図２２に示すように、差込溝９０３に差し込まれた端子押圧部９１１により、可動端子９０２が押し下げられ、固定接点９０６に接触することで、検出部９０１を構成する回路がオフからオン状態に切り替わる。これに対し、差込溝９０３から端子押圧部９１１が引き抜かれると、可動端子９０２がバネ力で上昇し、固定接点９０６から離隔することで、検出部９０１を構成する回路がオンからオフに切り替わる。
【０２０７】
可動端子９０２を有する基板９０５は、図２１に示すように、差込溝９０３の奥に設けた凹部９０４内に配置され、可動端子９０２が差込溝９０３の上面から当該差込溝９０３内に突出するように配置されている。
【０２０８】
端子押圧部９１１は、図２２に示すように、冊子部２０の台紙９１０から舌片状に突出し、可動端子９０２を押圧させない箇所に切欠部９１２を設けている。切欠部９１２の有る箇所では、端子押圧部９１１を差込溝９０３に差し込んだ際には、可動端子９０２を押圧せず、非押圧部と機能し、切欠部９１２の無い箇所が押圧として機能する。
【０２０９】
なお、音声再生装置９００に差込溝９０３を形成し、その奥に可動端子９０２を配置したが、これに限らない。例えば、図示しないが、差込溝９０３に代えて、台紙９１０の端子押圧部９１１がはまり込む上面が開放した嵌合部を形成し、当該嵌合部に可動端子９０２を配置する。本例によれば、端子押圧部９１１を嵌合部に合わせて置くことで、可動端子９０２を押圧あるいは非押圧させることができる。
【０２１０】
（図２４に示す第８の実施形態）
次に、図２４を用いて、第８の実施形態について説明する。
【０２１１】
第８の実施形態は、冊子識別部２５において、ドットパターンを用いた場合である。
【０２１２】
ドットパターンとは、２次元コードの一種であり、様々な情報やプログラムを入出力させる自動認識技術である。具体的には、特許３７０６３８５号、特許３８５８０５１号、特許３７７１２５２号、特許４８３４８７２号、特許５３４４３２７号等に開示されている。その他、あらゆるドットパターンを用いてもよいことはもちろんである。
【０２１３】
このとき、冊子識別部２５には、ドットパターンが印刷されている。そして、冊子識別用検出部には、ドットパターンを撮影するセンサユニット、赤外線を照射する照射装置（ＬＥＤなど）、撮影されたドットパターンからコード値を復号する復号化手段が設けられている。
【０２１４】
ドットパターンには、冊子を特定するためのインデックスがコード化されている。センサユニットがドットパターンを読み取ると、復号化手段は、ドットパターンを解析して、コード値に復号する。そして、どの冊子であるかを特定する。
【０２１５】
このとき、ドットパターンは、赤外線を吸収するインクで印刷されている。もし、ドットパターンに重ねてグラフィックなどを印刷する場合は、赤外線を吸収しないインクで印刷されている。赤外線が照射されると、ドットパターンは赤外線を吸収し、ドット以外の領域では媒体表面で赤外線を反射する。このため、センサユニットによる撮影画像は、ドットパターンのみが黒く撮影される。なお、図に２個のLEDが記載されているが、１個であってもよい。さらに、LEDから照射される光を媒体に均一に照らすために、LEDと媒体の間にディフューザを設けてもよい。
【０２１６】
ここで、照射されるのは赤外線に限られず、紫外線、可視光線等、他の電磁波であってもよい。ドットパターンを印刷するインクは、紫外線を照射する場合は紫外線で反応するインクを用いる。可視光を照射する場合は、ドットに使用するインク色のみを識別すればよい。さらに、可視光線でドットパターンを認識する場合、外光が入る構造となっていれば照射装置は外してもよい。また、図２４では、下部から上向きにセンサユニットを配置しているが、上部から下向きまたは斜め下向きに配置して媒体上面に印刷されたドットパターンを撮影してもよい。
【０２１７】
なお、ここでは、冊子識別部２５を例に挙げて説明したが、ページ特定部２６に用いることもできる。
【０２１８】
（冊子識別の他の実施例）
上記において、冊子を識別するための種々の方法について説明してきたが、他にも、図示は省略するが、以下の方法により識別することが可能である。
【０２１９】
（１）音声認識による冊子識別
音声録音・再生装置３０に音声認識手段を設け、音声認識機能を搭載する。ユーザは、マイク５２に向かって、冊子を特定する言葉（例えば「結婚式のアルバム」）を発声する。すると音声認識手段は、その言葉を解析し、音声録音・再生装置３０は、その冊子を特定する。例えば、ユーザがマイク５２に向かって「結婚式のアルバム」と発声すると、音声録音・再生装置３０は、冊子部２０が結婚式のアルバムであることを特定する。
【０２２０】
なお、冊子を特定する言葉の他、IDを発声するようにしてもよい。冊子２０を販売するときに、各冊子にIDを予め付与しておく。ユーザがIDを発声すると、音声認識手段は、そのIDを解析し、音声録音・再生装置３０は、その冊子を特定する。IDは、数字やアルファベットのみから構成されることが通常であり、種々の言葉が混じるよりも音声認識の精度が高くなる、という利点がある。
【０２２１】
（２）RFIDによる冊子識別
冊子識別部２５にRFIDタグを設け、冊子識別用検出部４１にセンサー（読取器）を設ける。RFIDタグには、冊子を識別するためのIDが埋め込まれている。RFIDタグは、電波または電磁波により、ID信号をセンサーに送信する。センサーは、ID信号を受信する。このIDから、冊子を特定する。
【０２２２】
なお、RFIDに限らず、ID信号を無線送信することができれば、他の手段を用いてもよい。
【０２２３】
（３）２個のセンサーによる冊子識別
冊子識別部２５の所定位置に、信号を送信する無線送信装置を備え、冊子識別用検出部４１に、信号を受信するセンサーを複数（2個以上）備える。信号が送信されると、その信号の位置に対応した位置にあるセンサーのみが、その信号を検知する。どのセンサーが信号を検知するかにより、冊子を特定する。つまり、無線送信装置の信号の位置や数を変更することにより、冊子を特定することができる。
【０２２４】
（４）送信信号による冊子識別
冊子識別部２５の所定位置に、信号波を発信する発信手段を備え、冊子識別用検出部４１に、信号波を受信するセンサーを備える。発信手段から原信号波が発信されると、重複部において、反射、透過、減衰、屈折、遮断、吸収の少なくともいずれか１つにより、原信号波が変化する。センサーは、変化した信号波を受信する。この変化により、冊子を特定することができる。これによれば、冊子部２０の各ページの厚さも認識することができる。
【０２２５】
なお、信号波が変化する原因としては、周波数、振幅、位相、粗密度の変化またはノイズの影響がある。
【０２２６】
なお、発信手段は、信号波ではなく、電磁波または音波（あるいはその両方）を発信し、センサーは、信号波ではなく、電磁波または音波（あるいはその両方）を受信するようにしてもよい。
【０２２７】
また、発信手段とセンサーの間に、冊子部２０の各ページが挟まれるように配置されていてもよい。このようにすると、発信手段で発信された原信号が、ページの所定領域で透過または減衰、屈折、遮断、吸収されて変化する。この変化した信号を、センサーで受信する。
【０２２８】
また、発信手段とセンサーを覆うように、冊子部２０の各ページを配置してもよい。このようにすると、発信手段で発信された原信号が、ページの所定領域で反射または吸収されて変化する。この変化した信号を、センサーで受信する。
【０２２９】
もちろん、冊子識別の方法はこれらに限らず、あらゆる方法を用いてよい。また、これらの方法は、冊子の識別だけでなく、ページを特定するためにも用いることができる。
【０２３０】
（図２５〜２７に示す第９の実施の形態）
つぎに、図２５〜２７を用いて、第９の実施の形態について説明する。
【０２３１】
本実施の形態の特徴は、図１，４を用いて説明した、取付片１０１０の変形した点である。
【０２３２】
すなわち、装置本体１０００から突出する取付片１１００の外面と、当該取付片１１００を挿入可能な冊子部２０の台紙１２００に形成された挿入溝１２１０の内面との間に、互いにはまり合う凹凸の一方をそれぞれに形成している。これにより、取付片１１００を挿入溝１２１０に挿入した際のクリック感、すなわち節度感を持たせることができるばかりでなく、装置本体１０００が冊子部２０から容易に外れないようにできる。
【０２３３】
取付片１１００の下面には、図２５および図２６に示すように、凸部１１１０を設けている。凸部１１１０は、取付片１１００の幅方向に互いに離れて複数個、例えば３個設けている。また、各凸部１１１０には、取付片１１００の挿入方向に対し、傾斜したテーパー面を形成することで、挿入溝１２１０への挿入性や、引き抜く際の操作性を向上している。なお、凸部１１１０を３個設けたが、これに限定されず、単数あるいは２個、４個以上設けてもよい。
【０２３４】
挿入溝１２１０の内部の下面には、取付片１１００の挿入状態において、前記３個の凸部１１１０がそれぞれはまり込む複数個、例えば３個の凹部１２２０を設けている。なお、凹部１２２０は、穴状やスリット状に形成してもよい。また、凹部１２２０の個数として、３個を例示したが、凸部１１１０の個数に対応していれば足り、３個に限定されない。
【０２３５】
さらに、凸部１１１０を取付片１１００の下面に、凹部１２２０を挿入溝１２１０の内部の下面にそれぞれ形成したが、両部は互いに対向していれば足り、形成位置は下面に限定されず、上面や側面、あるいは複数の面に形成してもよい。
【０２３６】
（図２８に示す第１０の実施の形態）
つぎに、図２８を用いて、第１０の実施の形態について説明する。
【０２３７】
本実施の形態の特徴は、先に図７を用いて説明した装置本体１０００に、タッチ検出部１６２０を設け、タッチ位置に対応したコンテンツ、例えば音声を再生できるようにした点である。
【０２３８】
本実施の形態では、装置本体１０００に装着した冊子部１４００の別を、冊子識別用検出部４１で検出し、開いた台紙１４１０〜１５１０のページ数を、ページ特定用検出部４２で検出することができる上、タッチ検出部１６２０をタッチすることで、開いているページに対応した音声を再生することができる。
【０２３９】
例えば、印刷部１６２３の「クイズ」をタッチすると、開いたページに関連した質問の音声が再生され、回答が求められる。回答としては、「１」〜「５」の５つの選択肢が音声で再生される。回答者は、「いいえ」の右横の「１」〜「５」の５つの選択肢の一つにタッチすると、正否の音声が再生される。または、「クイズ」をタッチし、開いたページに関連した質問の音声が再生されたら、回答者は「はい」「いいえ」のいずれかにタッチすると、正否の音声が再生される。
【０２４０】
なお、クイズを例にしたが、それに限定されない。また、タッチを契機として、音声を再生したが、これに限定されず、タッチした後、音声や音楽を録音し、同じ位置をタッチすることで、録音した音声等を再生できるようにしてもよい。
【０２４１】
具体的には、装置本体１０００の下側に、Ｌ字形に折れ曲がった突出片１６２１を設け、その表面にタッチ位置を示す、文字や絵等を印刷した印刷部１６２３を設けている。また、突出片１６２１の基端部側には、印刷部１６２３を撮像可能な撮像装置１６２２（タッチ検出手段）を設けている。撮像装置１６２２により、「クイズ」、「はい」、「いいえ」、「１」〜「５」の印刷部１６２３の全てが撮像されている。指で、例えば「いいえ」の印刷部１６２３にタッチすると、指で「いいえ」の印刷部１６２３が隠され、撮像装置１６２２により撮像される画像が、「１」〜「５」の印刷部１６２３に減り、「いいえ」にタッチされたことが、タッチ検出部１６２０側で検出できる。
【０２４２】
なお、台紙１４１０〜１５１０の図２８において下側の端部は、Ｌ字形に折れ曲がった突出片１６２１の上面に沿うように位置し、当該上面に接触させてもよいし、あるいは離して位置させるようにしてもよい。また、突出片１６２１を、台紙１４１０〜１５１０の下側の端部に沿うように、Ｌ字形に屈曲させたが、これに限定されず、図示しないが、台紙１４１０〜１５１０の上側の端部に沿うように、Ｌ字形に屈曲させてもよいし、あるいは突出片１６２１を省略し、装置本体１０００にタッチ検出部１６２０を設け、台紙１４１０〜１５１０の自由端部側に沿うように位置させてもよい。
【０２４３】
（図２９に示す第１１の実施の形態）
つぎに、図２９を用いて、第１１の実施の形態について説明する。
【０２４４】
本実施の形態の特徴は、先に図７を用いて説明した装置本体１０００の変形した点である。
【０２４５】
すなわち、本実施の形態は、図２８の撮像装置１６２２に変え、例えば静電容量方式等のタッチシート１６２２を使用し、タッチ検出手段を構成した点である。
【０２４６】
なお、タッチシート１６２２は、静電容量方式に限定されず、抵抗膜方式（アナログ抵抗膜方式）、超音波表面弾性波方式、音響パルス認識方式、振動検出方式(DST)、赤外線遮光方式、電磁誘導方式、光センサー内蔵LCD方式等の他の方式を用いてもよい。
【０２４７】
また、タッチ検出手段としては、図２８の撮像装置１６２２、本実施の形態のタッチシート１６２２に限定されない。
【０２４８】
例えば、突出片１６２１の基端部側に、電磁波（赤外線、紫外線、可視光等）または音波を発信する発信手段を設け、発信手段の近傍に、それらを検知するセンサーを設ける。印刷部１６２３が全くタッチされていない場合には、印刷部全体が電磁波または音波を反射または吸収し、センサー部は、その反射波を受信する。一方、印刷部のいずれかがタッチされている場合、または、タッチされていなくても印刷部の一部の領域が覆われている場合、タッチ位置または覆われた位置で電磁波または音波が反射する。したがって、タッチ等が一切されていない状態での反射波（第１の反射波）を予め記録しておけば、タッチ等が行われた状態での反射波（第２の反射波）と、第１の反射波とが異なることを認識することにより、媒体のどの位置にタッチされたかを検出することができる。
【０２４９】
ここで、電磁波が赤外線である場合について具体的に説明する。この場合、センサーは赤外線検知センサーである。印刷部の各領域（図２８，２９では「クイズ」「はい」「いいえ」「１」「２」「３」「４」「５」）は、赤外線を吸収するインクで印刷されている。しかし、ある領域（例えば「はい」）が指や対象物でタッチされた場合、それらは赤外線を吸収しないため、その領域で赤外線が反射され、その反射波を赤外線検知センサーが検知する。これにより、「はい」がタッチされたことを検知する。
【０２５０】
（図３０〜３５に示す第１２の実施の形態）
つぎに、図３０〜３５を用いて本発明の第１２の実施の形態について説明する。
【０２５１】
本実施の形態の特徴は、コンテンツ出力装置７００に、媒体としての専用シート８００を脱着可能とした点である。
【０２５２】
コンテンツ出力装置７００は、図３０に示すように、大別すると、土台部７１０と、台紙部７２０とを備えている。
【０２５３】
土台部７１０には、媒体識別手段として、複数個、例えば８個の光センサー７１１が内蔵され、各８ビット、計２５６枚の専用シート８００を識別可能である。
【０２５４】
また、土台部７１０には、図示しないが、コンテンツを記録する記憶手段と、該記憶手段に記録されたコンテンツを出力する出力手段とを備えている。前記コンテンツは、装着される専用シート８００（媒体）と当該媒体にタッチ位置を明示するために印刷されたグラフィックおよび／またはテキストに対応付けられて記憶されている。
【０２５５】
さらに、土台部７１０には、図示しないが、透明な蓋がついており、後述する識別用パンチ穴８２１を有する重複部８２０をはさみ込み、固定することができる。
【０２５６】
なお、光センサー７１１の個数として、８個を例示したが、これに限定されない。また、媒体識別手段として、光センサー７１１を例示したが、これに限定されない。
【０２５７】
台紙部７２０は、シート状であり、土台部７１０に接続して固定され、その表面には格子状に配置された複数個、例えば８行６列、計４８個のタッチ検出部７２１が配置されている。
【０２５８】
タッチ検出部７２１は、台紙部７２０上に専用シート８００（媒体）の後述するシート本体８１０がセットされた状態で、圧力や導電を検知すると、当該情報を土台部７１０に送信し、土台部７１０が識別された専用シート８００（媒体）に割り当てられた音声を再生する。
【０２５９】
なお、タッチ検出部７２１の個数として、４８個を例示したが、これに限定されない。また、タッチ検出部７２１により、専用シート８００（媒体）の後述するシート本体８１０の複数のタッチ位置のどこにタッチしたかを判別するタッチ位置認識手段を構成するが、タッチ位置認識手段としてはタッチ検出部７２１に限定されない。
タッチ検出部７２１には、図３２〜３４に示すように、メンブレンスイッチが使用されている。メンブレンスイッチは、図３２に示すように、表面シート７３０、上部接点シート７４０、スペーサー７５０、下部接点シート７６０、裏面シート７７０から構成されている。
【０２６０】
上部接点シート７４０には、図３２および図３３に示すように、下部接点シート７６０に向かって突出するように、接点７４１が設けられている。接点７４１は、マトリックス状に配置され、タッチ検出部７２１の位置にそれぞれ複数個設けられ、横列に並ぶ接点７４１が導電部７４２により互いに直接に接続され、導電部７４２は土台部７１０の回路に接続されている。なお、接点７４１と導電部７４２とは、例えばポリエステルフィルムに印刷技術を用いて印刷されている。
【０２６１】
下部接点シート７６０にも同様に、図３２および図３４に示すように、上部接点シート７４０に向かって突出するように、接点７６１が設けられている。接点７６１は、マトリックス状に配置され、タッチ検出部７２１の位置にそれぞれ複数個設けられ、縦列に並ぶ接点７４１が導電部７６２により互いに直接に接続され、導電部７６２は土台部７１０の回路に接続されている。
【０２６２】
スペーサー７５０は、絶縁材料から構成され、図３２および図３５に示すように、絶縁シートに貫通孔７５１を形成している。貫通孔７５１は、マトリックス状に配置され、タッチ検出部７２１の位置にそれぞれ複数個設けられている。上部接点シート７４０の接点７４１と、下部接点シート７６０の接点７６１とは、表面シート７３０にタッチ、すなわち押圧したときに、貫通孔７５１を介して互いに導通する。
【０２６３】
検出方法としては、タッチ検出部７２１の一つを押圧すると、その直下の接点７４１と接点７６１とが導通する。導電部７４２と導電部７６２とのいずれか一方に電流を流し、他方のオン・オフによりタッチ検出部７２１にタッチされたことを検出する。例えば、横列の導電部７４２の１本ずつに順に電流を流しながら、縦列の導電部７６２のオン・オフにより、タッチされたタッチ検出部７２１の座標値を特定している。
【０２６４】
なお、タッチ検出部７２１に、メンブレンスイッチを用いたが、これに限らず、圧力センサーや静電容量などのタッチパネルを用いてもよい。
【０２６５】
専用シート８００は、グラフィックや写真、テキストが印刷された媒体を構成し、図３１に示すように、コンテンツ出力装置７００と重なり合うシート状に構成されている。専用シート８００は、大別すると、台紙部７２０に重なり合うシート本体８１０と、土台部７１０に重なり合う重複部８２０とを備えている。
【０２６６】
シート本体８１０の表面には、少なくともタッチ位置を明示するグラフィックや写真、テキストが印刷されている。本実施の形態では、シート本体８１０の表面に、図３１に示すように、「アルファベット」「英単語」「日本語」「クイズ」「はい」「いいえ」と記載された操作ボタン、アルファベット「ａ」〜「ｚ」、および数字「０」〜「１０」を示すボタンが印刷されている。なお、グラフィックや写真、テキストは、この実施例に限定されない。
【０２６７】
重複部８２０には、識別用パンチ穴８２１を設けている。
【０２６８】
識別用パンチ穴８２１は、８個の光センサー７１１の位置に対応して位置し、パンチ穴を設けたり、設けなかったりすることで、専用シート８００の媒体の識別情報を記録している。
【０２６９】
本実施の形態は、ユーザが専用シート８００をコンテンツ出力装置７００にセットし、シート本体８１０の表面に表示されている操作ボタンやアルファベットなどにタッチすることで、それらに対応した音声が発生するというものである。
【０２７０】
専用シート８００は、２５６枚まで識別でき、ユーザは専用シート８００を交換することで、さまざまなコンテンツを楽しむことができる。
（図３６〜３７に示す第１３の実施の形態）
つぎに、図３６〜３７を用いて、第１３の実施の形態について説明する。
【０２７１】
本実施の形態の特徴は、先に図３０〜３５を用いて説明した第１２の実施の形態の変形例を示すものであり、図３６及び図３７に示すように、土台部１７１０と台紙部１７２０との重複部分に、位置決め用の凹凸部１７１２，１７２２を設けた点である。
【０２７２】
本実施の形態によれば、土台部１７１０と台紙部１７２０との位置決めを、簡便に短時間で、正確にかつ確実に行うことができ、音声録音・再生装置１７００の製品として信頼性を向上することができる。
【０２７３】
すなわち、音声録音・再生装置１７００は、図３６（ａ）に示す土台部１７１０と、図３７に示す台紙部１７２０とから構成され、台紙部１７２０は種々の種類のものに交換して使用できるようになっている。
【０２７４】
土台部１７１０には、図３６（ａ）に示すように、台紙識別部１７１１を設け、その両側に位置決め用の凹凸部の一方、例えば凸部である位置決め突起１７１２を設けている。位置決め突起１７１２を、複数、例えば左右一対設けたが、これに限定されず、３個以上設けてもよいし、あるいは複数であることが好ましいが、単数でもよい。
【０２７５】
台紙識別部１７１１及び位置決め突起１７１２の上側に、図３６（ｂ）及び（ｃ）に示すように、開閉可能なカバー部１７１３を設けている。
【０２７６】
また、土台部１７１０の上側に、携行用のハンドル部１７１４を設けている。
【０２７７】
台紙識別部１７１１は、８個の光センサーから構成しているが、８個に限定されず、又、光センサーにも限定されない。
【０２７８】
台紙部１７２０には、図示しないが、タッチ検出部を設けるとともに、土台部１７１０との重複部分に、台紙識別部１７１１で検出可能な被検出部１７２１を設け、その両側に位置決め用の凹凸部の他方、例えば凹部である位置決め穴１７２２を設けている。
【０２７９】
被検出部１７２１を、穴から構成したが、これに限定されない。
【０２８０】
また、位置決め穴１７２２には、位置決め突起１７１２がそれぞれはまり込む。位置決め穴１７２２を、複数、例えば位置決め突起１７１２と同数の左右一対設けたが、これに限定されず、３個以上設けてもよいし、あるいは複数であることが好ましいが、単数でもよい。なお、台紙部１７２０側に、凹部である位置決め穴１７２２を設け、土台部１７１０に凸部である位置決め突起１７１２を設けたが、これに限定されず、図示しないが、台紙部１７２０側に凸部を、土台部１７１０側に凹部を設けてもよい。
【０２８１】
タッチ検出部（図示せず）は、圧力センサーを使用してもよいし、図３２〜３５に示すように、メンブレンスイッチを使用してもよいし、あるいは静電容量方式等のタッチシートを使用してもよい。
【０２８２】
また、土台部１７１０を、図示しないが、ＵＳＢケーブル等の接続ケーブルを介し有線、あるいは無線でパーソナル・コンピュータ（ＰＣ）等の電子情報機器に接続し、台紙部１７２０をキーボードとして利用するようにしてもよい。
【０２８３】
土台部１７１０は、台紙部１７２０を交換して使用でき、交換した台紙部１７２０は台紙識別部１７１１により識別できる。また、土台部１７１０には、複数種類の台紙部１７２０に共通した、電源やボリューム等のスイッチ類を設けておけば足りるが、図示しないが、これらのスイッチ類を省いてもよい。土台部１７１０には、音声録音・再生機能を有するが、音声録音はタッチ検出部のタッチ位置と録音した音声データを関連付けて記憶可能である。もちろん、土台部１７１０から音声録音を省き、音声再生機能だけを持たせてもよい。さらに、先に説明したように、土台部１７１０をＰＣ等に接続して使用する場合には、音声録音機能や音声再生機能の一方、又は両方を省いてもよい。
【０２８４】
（図３８〜３９に示す第１４の実施の形態）
つぎに、図３８〜３９を用いて、第１４の実施の形態について説明する。
【０２８５】
本実施の形態の特徴は、先に図３０〜３５を用いて説明した第１２の実施の形態の変形例を示すものであり、図３８及び図３９に示すように、ハンドル部１７１４の中央にカメラ１７５０および照明装置１７５１を設けた点である。
【０２８６】
図３８は、このような音声録音・再生装置１７００について説明する図である。同図（ａ）に示すように、ハンドル部１７１４の中央には、カメラ１７５０および照明装置１７５１が備えられている。同図（ｂ）は、ハンドル部１７１４を立ち上げた状態を示す図である。このように、ハンドル部１７１４は、最大９０度折れて立ち上げることができる。もちろん、立ち上がる角度は９０度に限られない。同図（ｃ）は、カメラを動かした状態を示す図である。このように、カメラ１７５０は上下に振れる構造となっている。ハンドル１７１４およびカメラ１７５０をこのような構造とすることにより、装着する媒体（台紙部１７２０）がシートではなく、厚さのある立体物であっても、最適な条件で台紙部１７２０を撮影することができる。
【０２８７】
音声録音・再生装置１７００の記憶部には、複数の台紙部１７２０を予め撮影した画像が記憶されている。図３９（ａ）に示すように、ユーザは、台紙部１７２０を音声録音・再生装置１７００に装着する。音声録音・再生装置１７００は、台紙部１７２０が装着されたことを検知したら自動的に、あるいはユーザの操作により、カメラ１７５０で台紙部１７２０を撮影する。媒体識別手段は、記憶部に記録された台紙部１７２０の画像と、撮影した画像との照合を行い、一致した画像を見つけることにより、装着された台紙部１７２０を特定する。
【０２８８】
なお、記憶しておく台紙部１７２０の画像は、台紙部１７２０全体であってもよいし、その一部であってもよい。
【０２８９】
台紙部１７２０を識別する場合には、台紙部１７２０の特徴点を抽出するようにしてもよい。この場合、記憶部には、特徴点のみを撮影した画像を記録してもよいし、全体を撮影した画像と、その特徴点とを対応付けたテーブルを記録してもよい。特徴点は任意に設定することができる。例えば、図３９の場合、台紙部１７２０の「Ｂ  Ｂｏｙ」の領域に印刷された男の子の絵柄、と設定することができる。カメラで台紙部１７２０を撮影すると、媒体識別手段は、記憶部に記録された特徴点の画像と、撮影された画像とを照合する。例えば、図３９（ａ）の台紙部１７２０が撮影されると、媒体識別手段は、記憶部に記録された画像を検索する。そして、「Ｂ  Ｂｏｙ」の画像を見つけたら、それが、撮影された画像と一致していることを認識し、装着された台紙部１７２０を特定する。
【０２９０】
このように、特徴点を設定することにより、台紙部１７２０の画像全体を照合するよりも、照合の処理速度を速めることができる。
【０２９１】
なお、記憶部に記録される、台紙部１７２０の画像またはその特徴点の画像は、カメラ１７５０で撮影することもできる。
【０２９２】
次に、台紙部１７２０がユーザによりタッチされた場合について説明する。
【０２９３】
図３９に示すように、台紙部１７２０は、タッチ位置を明示したグラフィックやテキストを印刷することができる。同図（ｂ）で示すように、指で「Ｂ」がタッチされたとする。すると、指で「Ｂ」の箇所が隠され、カメラ１７５０により撮影される画像が、「Ｂ」を除いた部分となる。タッチ前に撮影された画像から、タッチ後に撮影された画像を減ずると、「Ｂ」の画像を取得できる。これにより、ユーザがタッチしたのは「Ｂ」の箇所であることが認識され、音声録音・再生装置１７００のスピーカから、「Ｂ」に対応した「Ｂｏｙ」の音声が再生される。
【０２９４】
なお、タッチ位置を特定する方法はこれに限らず、どのような方法を用いてもよい。
【０２９５】
また、台紙部１７２０は、図のようなシートではなく、冊子状の媒体としてもよい。冊子状の媒体とすることにより、より多くのコンテンツを出力することが可能となる。
【０２９６】
また、台紙部１７２０は、指の他、タッチペン等の所定の対象物でタッチすることができる。
【０２９７】
ここで、図１や図７、図２８などを用いて説明した音声ブックの装置本体１０００においても、図示しないが、カメラ１７５０を設置し、冊子部２０側の「冊子識別部２５」および「ページ特定部２６」の媒体面の少なくとも１部を撮影して、冊子部２０やページを識別することができる。なお、「冊子識別部２５」および「ページ特定部２６」は、冊子部２０と音声録音・再生装置３０との重複部に設ける必要はなく、設置されたカメラで撮影される設置であればどこでもよい。さらに、冊子部２０の各ページの所定の位置をユーザにより指や対象物でタッチされた場合、タッチ位置を画像認識技術により取得し、タッチ位置に対応するコンテンツを出力することができる。フォトアルバムであれば、各写真を記憶しておき、当該写真をタッチして判別して各写真に対応するコンテンツを出力してもよい。
【０２９８】
図４０は、音声ブックの装置本体１０００にカメラ１７５０を設置した場合の変形例であり、ドットパターンを用いた場合について説明するものである。ここで、ドットパターンとは、上述の「第８の実施形態」において説明したものと同一である。
【０２９９】
同図（ａ）は、本実施例の音声ブック１０の平面図であり、同図（ｂ）は斜視図である。装置本体１０００の上部には、ドットパターンを読み取るためのカメラ１７５０が設置されており、カメラ１７５０の近傍には、照射装置１７５１が設置されている。冊子部２０の各ページの右上には、ドットパターンが印刷されている。なお、冊子部２０のドットパターンは、図では、説明のために目視できるようになっているが、実際には、ほとんど目視できないように印刷されている。なお、ドットパターンはグラフィックと重畳印刷してもよい。
【０３００】
同図（ｃ）は、ドットパターンにコード化されたドットコードのフォーマットを示す図である。１つのドットパターンには、冊子を識別するための冊子識別コード、および、ページを特定するためのページ特定コードがコード化されている。冊子識別コードは、同じ冊子であれば、ページ数に関わらず同一である。ページ特定コードは、ページ毎に異なる値が付与されている。
【０３０１】
照射装置１７５１は、ドットパターンに赤外線を照射する。カメラ１７５０は、冊子部２０に照射した照射光の反射光を撮影する。ドットパターンは、赤外線を吸収するインクで印刷されているため、撮影画像では、ドットの部分のみ黒く撮影されることになる。復号化手段は、撮影されたドットパターンの画像を解析して、コード値（冊子識別コードおよびページ特定コード）に復号する。これにより、音声情報・再生装置３０は、どの冊子のどのページが開いているかを検知し、それに対応した音声をスピーカ５１から出力する。
【０３０２】
これによれば、冊子部２０と音声情報・再生装置３０との重複部を設けなくても、冊子を識別し、ページを特定することができる。また、１個のドットパターンに、冊子識別コードとページ特定コードの２種類のコード値を登録することができる。そのため、冊子部２０においては、冊子識別部２５およびページ特定部２６、音声情報・再生装置３０においては、冊子識別用検出部４１およびページ特定用検出部４２といった、それぞれ２種類の部位を設ける必要がなくなる。これにより、音声ブックの構造を簡略化することができる。
【０３０３】
ここで、照射されるのは赤外線に限られず、紫外線、可視光線等、他の電磁波であってもよい。ドットパターンを印刷するインクは、紫外線を照射する場合は紫外線で反応するインクを用いる。可視光を照射する場合は、ドットパターンを特定のインクで印刷する必要は無く、ドットに使用するインク色のみを識別すればよい。さらに、可視光線でドットパターンを認識する場合、外光が入る構造となっていれば照射装置は外してもよい。
【０３０４】
また、本発明の実施の形態では、音声情報・再生装置１７００に代えて、スマートフォン、携帯電話、タブレット等のカメラ付き端末を用いることができる。予め、カメラ付き端末に、台紙部１７２０の画像を記録しておく。この画像は、カメラ付き端末によって撮影されたものでもよいし、他のカメラによって撮影されたものを、メール送信等により取得したものでもよい。ユーザが、台紙部１７２０のタッチ位置をタッチしながら、カメラ付き端末で撮影を行う。すると、カメラ付き端末のスピーカから、タッチ位置に対応した音声が出力される。
【０３０５】
これによれば、音声情報・再生装置１７００をわざわざ購入しなくても、既存のカメラ付き端末を用いて、台紙部１７２０を用いたコンテンツの出力を楽しむことができる。
【０３０６】
なお、上述の実施形態では、いずれの音声録音・再生装置やコンテンツ出力装置も音声を出力しているが、本発明はこれに限られない。テキスト、画像、映像、マルチメディア、Ｗｅｂ等、種々のコンテンツを出力することができる。また、これらのコンテンツの２個以上を同時に出力することができることは勿論である。
【０３０７】
また、上述の実施形態では、音声録音・再生装置やコンテンツ出力装置は、スピーカのみを備えているが、さらにディスプレイを備えていてもよい。また、スピーカに代えてディスプレイを備えてもよい。
【０３０８】
また、いずれの音声録音・再生装置やコンテンツ出力装置も、他の出力装置や携帯電話、スマートフォン、パーソナルコンピュータ等の情報機器に有線または無線で接続し、コンテンツを送信することができる。
【０３０９】
また、いずれの音声録音・再生装置やコンテンツ出力装置も、コンテンツを入力して記憶手段に記録する入力手段を備えることができる。入力手段としては、上述のように、音声を録音するためのマイクがあるが、その他、カメラを備えてもよい。カメラを備える場合は、カメラで撮影した画像または映像を録画して、画像または映像データに変換する録画手段を含むことが好ましい。また、パーソナルコンピュータ等の情報機器に有線または無線で接続して、情報機器からコンテンツを受信してもよい。
【０３１０】
＜実施の形態の補足的な説明＞
上記実施の形態は、以下の技術思想を包含するものである。
【０３１１】
（１）グラフィックや写真、テキストが印刷された媒体と、前記媒体に脱着可能であり、少なくとも該媒体を特定する媒体識別手段と、コンテンツを記録する記憶手段と、該記憶手段に記録されたコンテンツを出力する出力手段とから構成されるコンテンツ出力装置であって、前記コンテンツは前記媒体毎に対応付けられて記憶され、前記コンテンツ出力装置には、前記媒体を装着した状態において、両者の間に少なくとも一部が互いに重なり合う重複部を設け、前記媒体を装着することにより前記媒体識別手段で該媒体を特定し、前記記憶手段に記録された対応するコンテンツを前記出力手段で出力することを特徴とするコンテンツ出力装置。
【０３１２】
（２）前記媒体は複数のページを綴った冊子状の媒体であり、さらに該媒体のページを特定するページ識別手段を備え、前記コンテンツは前記媒体と該媒体のページ毎に対応付けられて記憶され、前記コンテンツ出力装置には、前記媒体を装着した状態において、前記ページ識別手段で該媒体の開かれているページを特定して、前記記憶手段に記録された対応するコンテンツを前記出力手段で出力することを特徴とする前記（１）記載のコンテンツ出力装置。
【０３１３】
（３）前記媒体には、１または複数のタッチ位置を明示したグラフィックおよび／またはテキストが印刷され、前記コンテンツ出力装置には、さらに前記媒体のタッチ位置のどこにタッチしたかを判別するタッチ位置認識手段を備え、前記コンテンツは前記媒体と該媒体のタッチ位置毎に対応付けられて記憶され、前記コンテンツ出力装置には、前記媒体を装着した状態において、前記タッチ位置認識手段で該媒体のタッチ位置を特定して前記記憶手段に記録された対応するコンテンツを前記出力手段で出力することを特徴とする前記（１）または（２）記載のコンテンツ出力装置。
【０３１４】
（４）前記タッチ位置認識手段はカメラを備え、タッチした指または所定の対象物と前記１または複数のタッチ位置を明示したグラフィックおよび／またはテキストと共に撮影し、画像認識によって前記媒体のタッチ位置のどこにタッチしたかを判別することを特徴とする前記（３）記載のコンテンツ出力装置。
【０３１５】
（５）前記タッチ位置認識手段は所定の電磁波または音波を発信する発信手段と該電磁波または音波を検知するセンサーを備え、前記発信手段で発信された電磁波または音波は、タッチした指または所定の対象物で反射する第１の反射波と前記複数のタッチ位置を明示したグラフィックおよび／またはテキストが印刷された所定の領域で反射する第２の反射波を受信し、第１と第２の反射波が異なることにより前記媒体の１または複数のタッチ位置のどこにタッチしたかを判別することを特徴とする前記（３）記載のコンテンツ出力装置。
【０３１６】
（６）前記電磁波は赤外線であり、前記センサーは赤外線検知センサーであり、前記１または複数のタッチ位置を明示したグラフィックおよび／またはテキストは赤外線を吸収するインクで印刷されており、前記タッチした指または所定の対象物では赤外線を反射することにより前記媒体の１または複数のタッチ位置のどこにタッチしたかを判別することを特徴とする前記（５）記載のコンテンツ出力装置。
【０３１７】
（７）前記タッチ位置認識手段は、前記媒体に組み込まれたことを特徴とする前記（３）記載のコンテンツ出力装置。
【０３１８】
（８）前記タッチ位置認識手段は、前記タッチ位置に検出するタッチ検出部が設けられたボードまたはシートであることを特徴とする前記（３）記載のコンテンツ出力装置。
【０３１９】
（９）前記媒体は複数のタッチ位置を明示したグラフィックおよび／またはテキストが印刷されたシートまたはカード状の媒体であり、さらに、該媒体を載置して該媒体の前記１または複数のタッチ位置のどこにタッチしたかを判別するタッチ位置認識手段を備え、前記コンテンツは前記媒体と該媒体のタッチ位置毎に対応付けられて記憶され、前記コンテンツ出力装置には、前記媒体を装着した状態において、前記タッチ位置認識手段で該タッチ位置を特定して、前記記憶手段に記録された対応するコンテンツを前記出力手段で出力することを特徴とする前記（１）記載のコンテンツ出力装置。
【０３２０】
（１０）前記ページ識別手段は所定の電磁波または音波を検知する複数のセンサーを備え、前記媒体を閉じた状態で該媒体の各ページの少なくとも一部の重複部は、該複数のセンサーの少なくとも１つを覆うように配置されて該所定の電磁波または音波を遮断し該センサーが所定量以下の該所定の電磁波または音波を検知しない状態であって、該媒体のページがめくられることによって、該重複部で覆われているセンサーが該所定の電磁波または音波を検知することにより、該媒体の開かれているページを特定することを特徴とする前記（２）に記載のコンテンツ出力装置。
【０３２１】
（１１）前記ページ識別手段は所定の電磁波または音波を検知する複数のセンサーを備え、前記媒体を閉じた状態で該媒体の各ページの重複部は、該複数のセンサーを覆うように配置されて該所定の電磁波または音波の少なくとも一部を透過し該センサーが所定量の該所定の電磁波または音波を検知する状態であって、該媒体のページが捲られることによって、該重複部で覆われているセンサーが該所定の電磁波または音波の所定量を検知することにより、該媒体の開かれているページを特定することを特徴とする前記（２）に記載のコンテンツ出力装置。
【０３２２】
（１２）前記所定の電磁波は、前記センサーの周辺から入射される自然光または照明機器、前記コンテンツ出力装置に設けられた光源から照射される可視光であることを特徴とする前記（５）記載のコンテンツ出力装置。
【０３２３】
（１３）前記ページ識別手段はセンサーを備え、前記ページ毎に所定の位置に備えた無線送信装置から発信される信号を受信し、該センサーにより前記開かれているページに備えられた該無線送信装置から発信された信号のIDと該信号の特性と、を識別し、その位置を算定して該ページを特定することを特徴とする前記（２）記載のコンテンツ出力装置。
【０３２４】
（１４）前記ページ識別手段は少なくとも２つのセンサーを備え、前記ページ毎に所定の位置に備えた無線送信装置から発信される信号を受信し、該少なくとも２つのセンサーにより前記開かれているページに備えられた該無線送信装置から発信された信号のIDと位置とを識別し、その位置を算定して該ページを特定することを特徴とする前記（２）記載のコンテンツ出力装置。
【０３２５】
（１５）前記媒体識別手段は所定の電磁波または音波を検知するセンサーを備え、前記媒体の少なくとも一部の重複部は、複数の前記センサーを覆うように配置され、該媒体の重複部の第１の所定の領域では該所定の電磁波または音波が通過または透過し、前記センサーが該所定の電磁波を検知し、該媒体の重複部の第２の所定の領域では該所定の電磁波または音波は遮断され、該センサーが所定量以下の該所定の電磁波または音波を検知しないことにより、前記第１と第２の所定の領域に入射した電磁波または音波を検知した該センサーの組み合わせによって該媒体を特定することを特徴とする前記（１）記載のコンテンツ出力装置。
【０３２６】
（１６）前記第１の所定の領域は、前記所定の電磁波または音波が通過できるための穴部または切り欠き部、該所定の電磁波または音波が透過する透過媒体のいずれかが設けられていることを特徴とする前記（１５）記載のコンテンツ出力装置。
【０３２７】
（１７）前記媒体識別手段は、入力手段として備えられたマイクに向かって前記媒体を特定する言葉またはIDが発声されると、音声認識により該媒体を特定することを特徴とする前記（１）記載のコンテンツ出力装置。
【０３２８】
（１８）前記媒体識別手段はセンサーを備え、前記媒体に備えられた無線送信装置から発信されるID信号を受信し識別して該媒体を特定することを特徴とする前記（１）記載のコンテンツ出力装置。
【０３２９】
（１９）前記媒体識別手段は複数のセンサーを備え、前記媒体の所定の位置に備えた無線送信装置から発信される信号を受信し、少なくとも２個の該センサーにより該信号が発信される該無線送信装置の所定の位置を算定して該媒体を特定することを特徴とする前記（１）記載のコンテンツ出力装置。
【０３３０】
（２０）前記媒体識別手段は、前記重複部に信号波を発信する発信手段と信号波を受信するセンサーを所定の位置に配置し、該発信手段から発信された原信号波が前記媒体の重複部で反射または透過、減衰、屈折、遮断、吸収の少なくともいずれか１つにより原信号波が変化した信号波を、該センサーが受信して該媒体を特定することを特徴とする前記（１）記載のコンテンツ出力装置。
【０３３１】
（２１）前記センサーで受信した信号波は、周波数、振幅、位相、粗密度の変化またはノイズの影響の少なくともいずれか１つにより前記原信号波が変化した信号波であることを特徴とする前記（２０）記載のコンテンツ出力装置。
【０３３２】
（２２）前記発信手段は、信号波に代えて、電磁波または音波の少なくともいずれか１つを発信し、前記センサーは、信号波に代えて、電磁波または音波の少なくともいずれか１つを受信することを特徴とする前記（２０）記載のコンテンツ出力装置。
【０３３３】
（２３）前記媒体の少なくとも一部の重複部は、前記発信手段と前記センサーの間に挟まれるように配置され、前記発信手段で発信された原信号は該媒体の重複部の所定の領域で透過または減衰、屈折、遮断、吸収されて変化し該センサーで受信することを特徴とする前記（２０）記載のコンテンツ出力装置。
【０３３４】
（２４）前記媒体の少なくとも一部の重複部は、前記発信手段と前記センサーを覆うように配置され、該発信手段で発信された原信号は該媒体の重複部の所定の領域で反射または吸収されて変化し該センサーで受信することを特徴とする前記（２０）記載のコンテンツ出力装置。
【０３３５】
（２５）前記媒体の少なくとも一部の重複部は、前記発信手段が近傍に設けられた複数の前記センサーを覆うように配置され、該媒体の重複部の第１の所定の領域で穴部または切り欠き部を設け、該発信手段で発信された原信号が該穴部または切り欠き部では通過し、該媒体の重複部の第２の所定の領域では原信号の少なくとも一部が反射することを該複数のセンサーが識別し、前記第１と第２の所定の領域における反射光の有無の組み合わせによって該媒体を特定することを特徴とする前記（２０）記載のコンテンツ出力装置。
【０３３６】
（２６）前記媒体の少なくとも一部の重複部は、複数の前記発信手段と対となる複数の前記センサーの間に挟まれるように配置され、該媒体の重複部の第１の所定の領域を該発信手段から発信された原信号が反射しない材料で形成し、該媒体の重複部の第２の所定の領域を原信号の少なくとも一部が反射する材料で形成することにより、該複数のセンサーが識別し、前記第１と第２の所定の領域における反射光の有無の組み合わせによって該媒体を特定することを特徴とする前記（２０）記載のコンテンツ出力装置。
【０３３７】
（２７）前記媒体の少なくとも一部の重複部は、対となる前記発信手段が近傍に設けられた複数の前記センサーを覆うように配置され、該媒体の重複部の第１の所定の領域を該発信手段から発信された原信号が反射しない材料で形成し、該媒体の重複部の第２の所定の領域を原信号の少なくとも一部が反射する材料で形成することにより、該複数のセンサーが識別し、前記第１と第２の所定の領域における反射光の有無の組み合わせによって該媒体を特定することを特徴とする前記（２０）記載のコンテンツ出力装置。
【０３３８】
（２８）前記媒体の重複部の第１の所定の領域は、赤外線を吸収するインクで印刷されるか、または赤外線を反射しない材料で形成され、前記媒体の重複部の第２の所定の領域は、赤外線を反射または拡散反射する材料で形成され、前記発信手段は赤外線を発信し、前記センサーは赤外線を受信し、前記第１と第２の所定の領域における反射光の有無の組み合わせによって該媒体を特定することを特徴とする前記（２０）〜（２３）のいずれかに記載のコンテンツ出力装置。
【０３３９】
（２９）前記媒体識別手段は、前記媒体の少なくとも一部の領域を撮像するイメージセンサーおよび撮像されたドットパターンからコード値を復号化する復号化手段を備え、前記媒体の少なくとも一部の重複部には、該媒体を特定するコード値が定義されたドットパターンが印刷され、該イメージセンサーは、該ドットパターンが印刷された一部の領域を撮像し、前記復号化手段により撮像されたドットパターンを解析して前記コード値に復号化して該媒体を特定する前記（１）に記載のコンテンツ出力装置。
【０３４０】
（３０）前記媒体識別手段は、さらに前記一部の領域に所定の電磁波を照射する照射装置を備え、前記イメージセンサーは、該所定の電磁波が照射された前記ドットパターンを撮像することを特徴とする前記（２９）に記載のコンテンツ出力装置。
【０３４１】
（３１）前記ページ識別手段は、前記媒体の少なくとも一部を撮像するイメージセンサーおよび撮像されたドットパターンからコード値を復号化する復号化手段を備え、前記媒体の少なくとも一部の領域には、該媒体の開かれているページを特定するコード値が定義されたドットパターンが印刷され、該イメージセンサーは、該ドットパターンが印刷された領域を撮像し、前記復号化手段により撮像されたドットパターンを解析して前記コード値に復号化して該媒体の開かれているページを特定する前記（２）に記載のコンテンツ出力装置。
【０３４２】
（３３）前記ページ識別手段は、さらに前記一部の領域に所定の電磁波を照射する照射装置を備え、前記イメージセンサーは、該所定の電磁波が照射された前記ドットパターンを撮像することを特徴とする前記（３１）に記載のコンテンツ出力装置。
【０３４３】
（３３）前記ドットパターンが印刷される媒体面は前記所定の電磁波を反射する材料で形成され、該ドットパターンの印刷には該所定の電磁波を吸収するインクを用いる前記（３０）または（３２）のいずれかに記載のコンテンツ出力装置。
【０３４４】
（３４）前記所定の電磁波は所定波長の赤外線である前記（３０）または、（３２）、（３３）のいずれかに記載のコンテンツ出力装置。
【０３４５】
（３５）前記媒体識別手段は、前記媒体面の少なくとも一部を撮影できる所定の位置にカメラを設け、該媒体を撮影した画像と、予め前記記憶手段に登録された該媒体を特定する画像とを照合して、該媒体を特定することを特徴とする前記（１）記載のコンテンツ出力装置。
【０３４６】
（３６）前記媒体識別手段は、前記媒体を撮影した画像の特徴点を抽出し、該特徴点と、予め前記記憶手段に登録された該媒体を特定する画像の特徴点とを照合して、該媒体を特定することを特徴とする前記（３５）記載のコンテンツ出力装置。
【０３４７】
（３７）前記記憶手段に予め登録された媒体を撮像した画像または該画像の特徴点は、前記カメラにより撮像することを特徴とする前記（３５）または（３６）のいずれかに記載のコンテンツ出力装置。
【０３４８】
（３８）前記媒体には、タッチ位置を明示したグラフィックおよび／またはテキストが印刷され、前記コンテンツ出力装置には、さらに前記媒体の１または複数のタッチ位置のどこにタッチしたかを判別するタッチ位置認識手段を備え、前記タッチ位置認識手段は、タッチした指または所定の対象物と前記１または複数のタッチ位置を明示したグラフィックおよび／またはテキストと共に前記カメラで撮影し、画像処理によって前記媒体の１または複数のタッチ位置のどこにタッチしたかを判別し、前記コンテンツは前記媒体と該媒体のタッチ位置毎に対応付けられて記憶され、前記コンテンツ出力装置には、前記媒体を装着した状態において、前記タッチ位置認識手段で該媒体のタッチ位置を特定して前記記憶手段に記録された対応するコンテンツを前記出力手段で出力することを特徴とする前記（３５）〜（３７）のいずれかに記載のコンテンツ出力装置。
【０３４９】
（３９）前記タッチ位置認識手段は、前記タッチした指または所定の対象物と前記１または複数のタッチ位置を明示したグラフィックおよび／またはテキストと共に前記カメラで撮影された画像から、タッチ前に撮影された前記１または複数のタッチ位置を明示したグラフィックおよび／またはテキストの画像を減じて、該タッチした指または所定の対象物のみの画像を取得することによって該媒体のタッチ位置を特定して前記記憶手段に記録された対応するコンテンツを前記出力手段で出力することを特徴とする前記（３８）記載のコンテンツ出力装置。
【０３５０】
（４０）前記媒体は複数のページを綴った冊子状の媒体であることを特徴とする前記（３５）〜（３９）のいずれかに記載のコンテンツ出力装置。
【０３５１】
（４１）前記コンテンツは、テキストデータまたは音声データ、画像データ、映像データ、マルチメディアデータ、WEBの少なくとも１つであることを特徴とする前記（１）〜（４０）のいずれかに記載のコンテンツ出力装置。
【０３５２】
（４２）前記出力手段は、前記コンテンツを他の出力装置または情報機器に有線または無線で送信することを特徴とする前記（１）〜（４１）のいずれかに記載のコンテンツ出力装置。
【０３５３】
（４３）前記出力手段は、スピーカまたはディスプレイの少なくとも１つを備えることを特徴とする前記（１）〜（４２）のいずれかに記載のコンテンツ出力装置。
【０３５４】
（４４）さらに前記コンテンツを入力して前記記憶手段に記録する入力手段を備えた、前記（１）〜（４３）のいずれかに記載のコンテンツ出力装置。
【０３５５】
（４５）前記入力手段は、前記コンテンツを情報機器から有線または無線で受信することを特徴とする前記（４４）記載のコンテンツ出力装置。
【０３５６】
（４６）前記入力手段にはマイクを備え、該マイクより音声を録音して音声データに変換する録音手段を含むことを特徴とする前記（４４）記載のコンテンツ出力装置。
【０３５７】
（４７）前記入力手段にはカメラを備え、該カメラより画像または映像を録画して画像または映像データに変換する録画手段を含むことを特徴とする前記（４４）記載のコンテンツ出力装置。
【０３５８】
（４８）少なくともタッチ位置を明示したグラフィックや写真、テキストが印刷された媒体と、前記媒体に脱着可能であり、少なくとも該媒体を特定する媒体識別手段と、コンテンツを記録する記憶手段と、前記媒体の１または複数のタッチ位置のどこにタッチしたかを判別するタッチ位置認識手段と、該記憶手段に記録されたコンテンツを出力する出力手段とから構成されるコンテンツ出力装置であって、前記媒体識別手段は、前記媒体の少なくとも一部を撮影できるカメラを設け、該媒体を撮影した画像と、予め前記記憶手段に登録された該媒体を特定する画像とを照合して該媒体を特定し、前記タッチ位置認識手段は、タッチした指または所定の対象物と前記１または複数のタッチ位置を明示したグラフィックおよび／またはテキストと共に前記カメラで撮影し、画像処理によって前記媒体の１または複数のタッチ位置のどこにタッチしたかを判別し、前記コンテンツは前記媒体と該媒体のタッチ位置毎に対応付けられて記憶され、前記コンテンツ出力装置には、前記タッチ位置認識手段で該媒体のタッチ位置を特定して前記記憶手段に記録された対応するコンテンツを前記出力手段で出力することを特徴とするコンテンツ出力装置。
【符号の説明】
【０３５９】
１０  音声ブック            ２０  冊子部
２１  表表紙                ２２  台紙
２３  裏表紙                
２４  とじ部                ２５  冊子識別部
２６  ページ特定部          
２７ａ  イラスト  ２７ｂ  写真
３０  音声録音・再生装置（音声再生装置）
４０  検出部                ４１  冊子識別用検出部
４２  ページ特定用検出部    ４３  光センサー
５０  操作部                ５１  スピーカ
５２  マイク                ５３  操作パネル
５４  電源部                ６０  電子制御装置
６１  光センサー制御部
６１ａ  冊子識別制御部      ６１ｂ  ページ特定制御部
６２  音声データ記憶部      ６３  音声録音制御部
６４  音声再生制御部        ７０  スイッチ群
８０  状態表示部            ９０  外部接続部
２００  タブ（反射部）      ２１０  切欠部（非反射部）
３００赤外線非反射層（非反射部）    ３１０  赤外線反射層（反射部）
４００  台紙                ４０１  穴（非反射部）
４１０  シール（反射部）
５００  台紙                ５０１  透明部（非反射部）
５１０  印刷部（反射部）
６００  台紙              ６０１  押圧部
６０２  非接触部          ６１０  マイクロスイッチ
６１１  アクチュエータ
７００  コンテンツ出力装置
７１０  土台部            ７１１  光センサー
７２０  台紙部            ７２１  タッチ検出部
７３０  表面シート
７４０  上部接点シート
７４１  接点
７４２  導電部
７５０  スペーサー
７５１  貫通孔
７６０  下部接点シート
７６１  接点
７６２  導電部
７７０  裏面シート
８００  専用シート（媒体）
８１０  シート本体        
９００  音声録音・再生装置（音声再生装置）
９０１  冊子識別用検出部
９０２  可動端子
９０３  差込溝
９０４  凹部
９０５  基板
９０６  固定接点
９１０  台紙
９１１  端子押圧部
９１２  切欠部
１０００  音声録音・再生装置の装置本体
１０１０  取付片
１０２０  取付部
１１００  取付片
１１１０  凸部
１２００  台紙
１２１０  挿入溝
１２２０  凹部
１３００  ページ特定用検出部
１３１０  光センサー
１３２０  音声録音・再生装置
１３２１  検出部
１３２２  凹部
１３２３  カバー
１３３０  冊子部
１３３１  １ページ目の台紙
１３３２  ２ページ目の台紙
１３４０  ページ特定部
１３４１  非透光部
１３４２  透光部
１０１１  凹部
１４００  冊子部
１４１０〜１５１０  各頁の台紙
１５２０  ページ特定部
１５２１  非透光部
１５２２  透光部
１５３０  取付部
１５３１  凸部
１６１０  取付片
１６２０  タッチ検出部
１６２１  突出片
１６２２  タッチ検出手段（撮像装置、タッチシート）
１６２３  印刷部
１７００  音声録音・再生装置
１７１０  土台部
１７１１  台紙識別部
１７１２  位置決め突起（凸部）
１７１３  カバー部
１７１４  ハンドル部
１７２０  台紙部
１７２１  被検出部
１７２２  位置決め穴（凹部）
１７５０  カメラ
１７５１  照射装置
【図１】
2015219842.tif 000003
【図２】
2015219842.tif 000004
【図３】
2015219842.tif 000005
【図４】
2015219842.tif 000006
【図５】
2015219842.tif 000007
【図６】
2015219842.tif 000008
【図７】
2015219842.tif 000009
【図８】
2015219842.tif 000010
【図９】
2015219842.tif 000011
【図１０】
2015219842.tif 000012
【図１１】
2015219842.tif 000013
【図１２】
2015219842.tif 000014
【図１３】
2015219842.tif 000015
【図１４】
2015219842.tif 000016
【図１５】
2015219842.tif 000017
【図１６】
2015219842.tif 000018
【図１７】
2015219842.tif 000019
【図１８】
2015219842.tif 000020
【図１９】
2015219842.tif 000021
【図２０】
2015219842.tif 000022
【図２１】
2015219842.tif 000023
【図２２】
2015219842.tif 000024
【図２３】
2015219842.tif 000025
【図２４】
2015219842.tif 000026
【図２５】
2015219842.tif 000027
【図２６】
2015219842.tif 000028
【図２７】
2015219842.tif 000029
【図２８】
2015219842.tif 000030
【図２９】
2015219842.tif 000031
【図３０】
2015219842.tif 000032
【図３１】
2015219842.tif 000033
【図３２】
2015219842.tif 000034
【図３３】
2015219842.tif 000035
【図３４】
2015219842.tif 000036
【図３５】
2015219842.tif 000037
【図３６】
2015219842.tif 000038
【図３７】
2015219842.tif 000039
【図３８】
2015219842.tif 000040
【図３９】
2015219842.tif 000041
【図４０】
2015219842.tif 000042